(57)【要約】【課題】プリペイドカードの盗用を防止でき、プリペイドカードの購入が簡単であり、見舞いに来た者でも購入可能であり、しかも、患者本人が知らないうちにプリペイドカードが清算されてしまう状態を回避する。【解決手段】機器２９、２４に対する課金をプリペイドカード３によって管理する機器課金システム１である。制御装置３４は、リーダ３９でＩＣカード３の患者符号領域１８から読取った患者符号と、メモリ３７に記憶された患者符号４２とが一致するときに、機器２９、２４を使用可能とし、機器２９、２４に対する課金処理を行う。さらに、リストバンドリーダ３２で読取った患者符号１１とメモリ３７に記憶された患者符号４２とが一致し、さらに清算ボタン３３が押されたときに、ライタ３９によってプリペイドカード３の清算フラグ１６をオン状態に立てる。清算フラグ１６がオン状態でＩＣカード３の清算が可能となる。【選択図】図１
2011028728.tif 000002
【特許請求の範囲】
【請求項１】
機器の使用に対する課金をプリペイドカードによって管理する機器課金システムにおいて、
前記プリペイドカードには、前記機器に対応した符号である機器符号を記憶する機器符号領域、前記機器の使用可能量を示す残度数を記憶する残度数領域、及びオン状態及びオフ状態を選択的にとり得る清算フラグが設けられており、
更に、前記機器符号を記憶した記憶手段と、
前記機器の利用者を管理するための符号である利用者管理符号及び使用可能な機器を示す機器指示符号を記憶しており該利用者が携帯する携帯記憶手段と、
前記携帯記憶手段に記憶された前記機器指示符号を読取るリーダと、
前記プリペイドカードの前記利用者符号領域、前記残度数領域、及び前記清算フラグに記憶されたデータを読込むカードリーダと、
前記プリペイドカードの前記利用者符号領域、前記残度数領域、及び前記清算フラグにデータを書込むカードライタと、
前記利用者によって操作されて前記プリペイドカードに記録された前記精算フラグをオン状態とする清算処理信号を出力する清算指示手段と、
前記メモリに記憶された前記機器符号、前記リーダの出力信号、前記カードリーダの出力信号に基づいて、前記機器及び前記カードライタの動作を制御する制御手段と、
を有し、
前記制御手段は、
前記カードリーダにより前記機器符号領域から読取ったデータと前記メモリに記憶された前記機器符号とが一致するときに、前記機器を使用可能とすると共に、前記機器に対する課金処理を行い、
さらに、前記リーダで読取った前記機器指示符号と前記記憶手段に記憶された前記機器符号とが一致し、前記清算指示手段から清算処理信号を受け取ったときに、前記カードライタによって前記プリペイドカードの前記清算フラグをオン状態とすることを特徴とする機器課金システム。
【請求項２】
機器の使用に対する課金をプリペイドカードによって管理する機器課金システムにおいて、
前記プリペイドカードには、前記機器の利用者を管理するための符号である利用者符号を記憶する利用者符号領域、前記機器の使用可能量を示す残度数を記憶する残度数領域、及びオン状態及びオフ状態を選択的にとり得る清算フラグが設けられており、
更に、前記プリペイドカードの前記利用者符号領域、前記残度数領域、及び前記清算フラグに記憶されたデータを読込むカードリーダと、
前記プリペイドカードの前記利用者符号領域、前記残度数領域、及び前記清算フラグにデータを書込むカードライタと、
前記利用者符号を記憶しており該利用者が携帯する携帯記憶手段と、
前記携帯記憶手段に記憶された前記利用者符号を読取るリーダと、
前記利用者符号を記憶した記憶手段と、
前記利用者によって操作されて前記プリペイドカードに記録された前記精算フラグをオン状態とする清算処理信号を出力する清算指示手段と、
前記記憶手段の利用者符号領域内の記憶内容、前記リーダの出力信号、前記カードリーダの出力信号に基づいて、前記機器及び前記カードライタの動作を制御する制御手段と、
を有し、
前記制御手段は、
前記リーダにより前記携帯記憶手段から読取った前記利用者符号を前記記憶手段の利用者符号領域内に記憶し、前記利用者符号を前記カードライタによって前記プリペイドカードの利用者符号領域内に記憶し、前記カードリーダで前記プリペイドカードの利用者符号領域から読取った利用者符号と前記記憶手段の利用者符号領域内に記憶された利用者符号とが一致するときに前記機器を使用可能とすると共に前記機器に対する課金処理を行い、
さらに、前記リーダで読取った前記利用者符号と前記記憶手段の利用者符号領域内に記憶された前記利用者符号とが一致し、さらに前記清算指示手段から清算処理信号を受け取ったときに、前記カードライタによって前記プリペイドカードの清算フラグをオン状態とすることを特徴とする機器課金システム。
【請求項３】
開閉可能な金庫と、該金庫の閉状態を保持できるロック装置と、をさらに有しており、
前記制御手段は、前記リーダで前記携帯記憶手段から読取った前記機器符号と前記記憶手段の機器符号領域内に記憶された機器符号とが一致するときに前記ロック装置を開状態にすることを特徴とする請求項１に記載の機器課金システム。
【請求項４】
開閉可能な金庫と、該金庫の閉状態を保持できるロック装置と、をさらに有しており、
前記制御手段は、前記リーダで前記携帯記憶手段から読取った前記利用者符号と前記記憶手段の利用者符号領域内に記憶された利用者符号とが一致するときに前記ロック装置を開状態にすることを特徴とする請求項２に記載の機器課金システム。
【請求項５】
前記記憶手段内に記憶されているデータを初期状態に戻すためのクリア符号を記録したクリア用タグを備え、
前記制御手段は、前記クリア符号を受け取ったときに前記利用者符号領域をデータが記憶されていないクリア状態にすることを特徴とする請求項２又は４に記載の機器課金システム。
【請求項６】
前記カードリーダの読取位置及び前記カードライタの書込位置は共通であることを特徴とする請求項１又は２に記載の機器課金システム。
【請求項７】
前記携帯記憶手段に記憶されている前記利用者管理符号、及び前記機器指示符号は、バーコード、及び／又は、ＲＦＩＤタグにより構成されていることを特徴とする請求項１乃至４の何れか一項に記載の機器課金システム。
【請求項８】
病室内にある機器の使用に対する課金をプリペイドカードによって管理する機器課金システムにおいて、
前記プリペイドカードには、前記機器に対応した符号である機器符号を記憶する機器符号領域と、前記機器の使用可能量を示す残度数を記憶する残度数領域と、オン状態及びオフ状態を選択的にとり得る清算フラグとが設けられており、さらに、
前記機器符号を記憶したメモリと、
患者を管理するための符号である患者管理符号及び使用可能な機器を示す機器指示符号を記憶しており患者の腕に装着されるリストバンドと、
前記リストバンドに記憶された前記機器指示符号を読取るリストバンドリーダと、
前記プリペイドカードの前記機器符号領域、前記残度数領域及び前記清算フラグに記憶されたデータを読込むプリペイドカードリーダと、
前記プリペイドカードの前記機器符号領域、前記残度数領域及び前記清算フラグにデータを書込むプリペイドカードライタと、を有し、
前記プリペイドカードリーダ及び前記プリペイドカードライタにおける前記プリペイドカードの読取位置は共通であり、さらに、
操作者によって操作されて清算処理信号を出力する清算指示手段と、
前記メモリに記憶された前記機器符号、前記リストバンドリーダの出力信号、前記プリペイドカードリーダの出力信号に基づいて、前記機器及び前記プリペイドカードライタの動作を制御する制御手段と、を有し、
前記制御手段は、
前記プリペイドカードリーダで前記機器符号領域から読取ったデータと、前記メモリに記憶された前記機器符号とが一致するときに、前記機器を使用可能とし、前記機器に対する課金処理を行い、さらに、
前記リストバンドリーダで読取った前記機器指示符号と前記メモリに記憶された前記機器符号とが一致し、前記清算指示手段から清算処理信号を受け取ったときに、前記プリペイドカードライタによって前記プリペイドカードの前記清算フラグをオン状態とすることを特徴とする機器課金システム。
【請求項９】
病室内にある機器の使用に対する課金をプリペイドカードによって管理する機器課金システムにおいて、
前記プリペイドカードには、患者を管理するための符号である患者符号を記憶する患者符号領域と、前記機器の使用可能量を示す残度数を記憶する残度数領域と、オン状態及びオフ状態を選択的にとり得る清算フラグとが設けられており、
さらに、前記プリペイドカードの前記患者符号領域、前記残度数領域及び前記清算フラグに記憶されたデータを読込むプリペイドカードリーダと、
前記プリペイドカードの前記患者符号領域、前記残度数領域及び前記清算フラグにデータを書込むプリペイドカードライタと、
前記患者符号を記憶しており患者の腕に装着されるリストバンドと、
前記リストバンドに記憶された前記患者符号を読取るリストバンドリーダと、
前記患者符号を記憶するための患者符号領域を備えた記憶媒体と、
操作者によって操作されて清算処理信号を出力する清算指示手段と、
前記記憶媒体の患者符号領域内の記憶内容、前記リストバンドリーダの出力信号、前記プリペイドカードリーダの出力信号に基づいて、前記機器及び前記プリペイドカードライタの動作を制御する制御手段と、を有し、
前記制御手段は、
前記リストバンドリーダで前記リストバンドから読取った前記患者符号を前記記憶媒体の患者符号領域内に記憶し、
前記患者符号を前記プリペイドカードライタによって前記プリペイドカードの患者符号領域内に記憶し、
前記プリペイドカードリーダで前記プリペイドカードの患者符号領域から読取った患者符号と前記記憶媒体の患者符号領域内に記憶された患者符号とが一致するときに前記機器を使用可能とすると共に前記機器に対する課金処理を行い、
さらに、前記リストバンドリーダで読取った前記患者符号と前記記憶媒体の患者符号領域内に記憶された前記患者符号とが一致し、さらに前記清算指示手段から清算処理信号を受け取ったときに、前記プリペイドカードライタによって前記プリペイドカードの清算フラグをオン状態とすることを特徴とする機器課金システム。
【請求項１０】
前記リストバンドは、
前記患者管理符号がバーコードとして印字されており腕に装着されるバンド部分と、
前記機器指示符号が記憶されており前記バンド部分に着脱可能に取り付けられたＩＣタグとを有し、
前記ＩＣタグは、前記機器指示符号を記憶したメモリと、該メモリに記憶されたデータを処理するプロセッサとを有することを特徴とする請求項８に記載の機器課金システム。
【請求項１１】
前記機器は、病室内に設けられた床頭台に設けられたテレビ受像機及び／又は冷蔵庫であることを特徴とする請求項８又は９に記載の機器課金システム。
【発明の詳細な説明】
【技術分野】
【０００１】
本発明は、例えば病院の病室等に設置されるテレビ受像機、冷蔵庫等といった機器に関する課金を管理するための機器課金システムに関する。
【背景技術】
【０００２】
従来から、病院の病室等のように一人又は複数人の利用者が宿泊する施設では、そこに設置されたテレビ受像機、冷蔵庫等の機器を利用者が使用料金を負担して使用するという機器利用形態が活用されている。本明細書では、利用者が機器の使用に際して使用料金を課されることを「課金」と呼び、機器を使用する者への課金を処理するためのシステムを機器課金システムと呼ぶことにする。
この機器課金システムが病院の病室に設置される場合を一例として説明すると、磁気カード、ＩＣカード等といったプリペイドカードを患者が予め購入し、このプリペイドカードによって課金を処理することにしたものが、従来から知られている。例えば、特許文献１によれば、プリペイドカードを発券機で購入する際に患者の診察券に基づいてプリペイドカードに診察券番号が記憶される。また、プリペイドカードには使用フラグ領域が設けられている。
この従来の機器課金システムにおいては、プリペイドカードが課金装置に挿入されたときにプリペイドカードに記憶された診察券番号が課金装置内のメモリに記憶される。そして、プリペイドカードの使用フラグ領域が使用状態に設定されていると共に、プリペイドカードの診察券番号と課金装置内のメモリに記憶された番号とが一致するときに、テレビの視聴を可能とし、さらに課金処理を行う。
そして、プリペイドカードの清算を行う際には、清算者が診察券を持参し、プリペイドカードに記憶された診察券番号と持参された診察券の番号とを比較して、それらが一致したときに清算が行われる。
次に、特許文献２に他の従来の機器課金システムが開示されている。この機器課金システムにおいては、ＩＣカードに入金を行うための入金機及びＩＣカードの残度数を精算するための清算機のそれぞれに入力装置であるテンキーを設け、ＩＣカードの購入時に当該ＩＣカードに暗証番号を記憶させ、追加入金時及び精算時に暗証番号を検査することになっている。
【先行技術文献】
【特許文献】
【０００３】
【特許文献１】特開２００１−０３４８１６公報
【特許文献２】特開２００６−１７８５４８公報
【発明の概要】
【発明が解決しようとする課題】
【０００４】
上記特許文献１に開示された従来の機器課金システムにおいては、診察券がないとプリペイドカードに識別番号を付与できなかった。また、診察券がないとプリペイドカードの精算が出来なかった。多くの場合、診察券は病院のナースステーションその他の特定の場所に保管される。従って、プリペイドカードの購入時や精算時に操作者が診察券を持っていないということがしばしば起きていた。このように、特許文献１に開示された従来の機器課金システムにおいては、購入時及び精算時にプリペイドカード以外に診察券が必要となるため、操作者にとって操作が煩雑であるという問題があった。また、診察券を入手できない者、例えば見舞いに来院した者はプリペイドカードを購入できないという問題があった。
また、この従来の機器課金システムにおいては、診察券を読取る装置及び診察券番号をプリペイドカードへ印字する装置を発券機に設けなければならず、診察券を読取る装置を清算機に設けなければならず、さらに、課金装置において診察券番号を書き込んだり消したりしなければならなかった。このように、特許文献１に示された従来の機器課金システムにおいては、構成機器の構成が複雑であり、しかも高価であるという問題があった。
また、上記特許文献２に示された従来の機器課金システムにおいては、プリペイドカードに対する入金時及び清算時に操作者が暗証番号を記憶していなければならず、しかも、テンキーを用いた入力操作を行わなければならないので、操作者にとって操作が煩雑であり、場合によっては操作者が暗証番号を忘れてしまい入金及び清算ができなくなるという問題があった。また、暗証番号を知り得ない者、例えば見舞いに来院した者はプリペイドカードを購入できないという問題があった。
【０００５】
本発明は、従来装置における上記の問題点を解消するために成されたものであって、プリペイドカードを他人に他の機器で使用されてしまうという盗用を防止でき、プリペイドカードの購入時には診察券等といった特別な識別条件が不要であって購入が簡単であり見舞いに来た者でも購入可能であり、しかも、患者本人が知らないうちにプリペイドカードが清算されてしまう状態を確実に回避しつつ、患者本人以外の者でも簡単に清算可能である機器課金システムを提供することを目的とする。
【課題を解決するための手段】
【０００６】
本発明はかかる課題を解決するために、請求項１は、機器の使用に対する課金をプリペイドカードによって管理する機器課金システムにおいて、前記プリペイドカードには、前記機器に対応した符号である機器符号を記憶する機器符号領域、前記機器の使用可能量を示す残度数を記憶する残度数領域、及びオン状態及びオフ状態を選択的にとり得る清算フラグが設けられており、更に、前記機器符号を記憶した記憶手段と、前記機器の利用者を管理するための符号である利用者管理符号及び使用可能な機器を示す機器指示符号を記憶しており該利用者が携帯する携帯記憶手段と、前記携帯記憶手段に記憶された前記機器指示符号を読取るリーダと、前記プリペイドカードの前記利用者符号領域、前記残度数領域、及び前記清算フラグに記憶されたデータを読込むカードリーダと、前記プリペイドカードの前記利用者符号領域、前記残度数領域、及び前記清算フラグにデータを書込むカードライタと、前記利用者によって操作されて前記プリペイドカードに記録された前記精算フラグをオン状態とする清算処理信号を出力する清算指示手段と、前記メモリに記憶された前記機器符号、前記リーダの出力信号、前記カードリーダの出力信号に基づいて、前記機器及び前記カードライタの動作を制御する制御手段と、を有し、前記制御手段は、前記カードリーダにより前記機器符号領域から読取ったデータと前記メモリに記憶された前記機器符号とが一致するときに、前記機器を使用可能とすると共に、前記機器に対する課金処理を行い、さらに、前記リーダで読取った前記機器指示符号と前記記憶手段に記憶された前記機器符号とが一致し、前記清算指示手段から清算処理信号を受け取ったときに、前記カードライタによって前記プリペイドカードの前記清算フラグをオン状態とすることを特徴とする。
【０００７】
本発明の機器課金システムによれば、プリペイドカードの機器符号領域内に記憶された機器符号と機器側のメモリ内に記憶された機器符号とが一致することを条件として、機器の使用を許可することにしたので、プリペイドカードを他人に他の機器で使用されてしまうという盗用を防止できる。また、他人が他人のプリペイドカードによって患者の機器を使用することを禁止できる。
例えば、病院等に設置された従来の機器課金システムにおいて、セキュリティを確保するために、プリペイドカードの購入時に診察券に記憶されている診察券番号との照合を条件とするものがあった。しかしながら、診察券は一般的には入院時にナースステーションにおいて管理されるものであるので、プリペイドカードの購入に際して診察券の照合が条件にされる場合には、購入のための手続きが非常に煩雑になって実用的でないという問題があった。また、患者を見舞いに来た者が見舞いのためにプリペイドカードを購入するということもできなかった。これに対し、本発明の機器課金システムにおいては、プリペイドカードの購入時には、診察券の照合その他の条件は何等課されないので、プリペイドカードの購入が非常に簡単になり、患者以外の第三者の購入も可能になった。
さらに、従来の機器課金システムにおいて、プリペイドカードの清算時に診察券番号との照合を条件に課したものがあった。この場合も、診察券が無いと清算ができないという、煩雑な手続きが必要であった。場合によっては、患者自身が清算機又は精算機の所まで行かないと、清算ができなかった。これに対し、本発明では、機器が置かれた所で患者が清算指示手段を操作して使用済みのプリペイドカードに清算フラグを立てれば、そのプリペイドカードに関して誰でも精算機の所で清算を行うことができる。これにより、清算の作業が非常に楽になり、さらに、患者自身がわざわざ精算機の所まで行かなくても、患者の意を受けた者によって清算を行うことができるようになった。このため清算処理が非常に便利で実用的になった。
【０００８】
請求項２は、機器の使用に対する課金をプリペイドカードによって管理する機器課金システムにおいて、前記プリペイドカードには、前記機器の利用者を管理するための符号である利用者符号を記憶する利用者符号領域、前記機器の使用可能量を示す残度数を記憶する残度数領域、及びオン状態及びオフ状態を選択的にとり得る清算フラグが設けられており、更に、前記プリペイドカードの前記利用者符号領域、前記残度数領域、及び前記清算フラグに記憶されたデータを読込むカードリーダと、前記プリペイドカードの前記利用者符号領域、前記残度数領域、及び前記清算フラグにデータを書込むカードライタと、前記利用者符号を記憶しており該利用者が携帯する携帯記憶手段と、前記携帯記憶手段に記憶された前記利用者符号を読取るリーダと、前記利用者符号を記憶した記憶手段と、前記利用者によって操作されて前記プリペイドカードに記録された前記精算フラグをオン状態とする清算処理信号を出力する清算指示手段と、前記記憶手段の利用者符号領域内の記憶内容、前記リーダの出力信号、前記カードリーダの出力信号に基づいて、前記機器及び前記カードライタの動作を制御する制御手段と、を有し、前記制御手段は、前記リーダにより前記携帯記憶手段から読取った前記利用者符号を前記記憶手段の利用者符号領域内に記憶し、前記利用者符号を前記カードライタによって前記プリペイドカードの利用者符号領域内に記憶し、前記カードリーダで前記プリペイドカードの利用者符号領域から読取った利用者符号と前記記憶手段の利用者符号領域内に記憶された利用者符号とが一致するときに前記機器を使用可能とすると共に前記機器に対する課金処理を行い、さらに、前記リーダで読取った前記利用者符号と前記記憶手段の利用者符号領域内に記憶された前記利用者符号とが一致し、さらに前記清算指示手段から清算処理信号を受け取ったときに、前記カードライタによって前記プリペイドカードの清算フラグをオン状態とすることを特徴とする。
本発明の機器課金システムによれば、プリペイドカードの利用者符号領域内に記憶された利用者符号と機器側の記憶媒体内に記憶された利用者符号とが一致することを条件として、機器の使用を許可することにしたので、プリペイドカードを他人に他の機器で使用されてしまうという盗用を防止できる。また、他人が他人のプリペイドカードによって利用者の機器を使用することを禁止できる。
【０００９】
請求項３は、開閉可能な金庫と、該金庫の閉状態を保持できるロック装置と、をさらに有しており、前記制御手段は、前記リーダで前記携帯記憶手段から読取った前記機器符号と前記記憶手段の機器符号領域内に記憶された機器符号とが一致するときに前記ロック装置を開状態にすることを特徴とする。
この構成により、課金システムのために使用するリストバンド情報を用いて金庫管理を行うことが可能となり、利用者及び施設側の双方にとって安全な貴重品管理を提供できる。
請求項４は、開閉可能な金庫と、該金庫の閉状態を保持できるロック装置と、をさらに有しており、前記制御手段は、前記リーダで前記携帯記憶手段から読取った前記利用者符号と前記記憶手段の利用者符号領域内に記憶された利用者符号とが一致するときに前記ロック装置を開状態にすることを特徴とする。
この構成により、課金システムのために使用する携帯記憶手段の情報を用いて金庫管理を行うことが可能となり、利用者及び施設側の双方にとって安全な貴重品管理を提供できる。
【００１０】
請求項５は、前記記憶手段内に記憶されているデータを初期状態に戻すためのクリア符号を記録したクリア用タグを備え、前記制御手段は、前記クリア符号を受け取ったときに前記利用者符号領域をデータが記憶されていないクリア状態にすることを特徴とする。
本発明に係る機器課金システムにおいて、制御手段は、クリア符号を受け取ったときに記憶媒体内の利用者符号領域をデータが記憶されていないクリア状態にすることができる。これにより、別の利用者に対する課金処理を行うことが可能となる。クリア符号は、リーダ、カードリーダ、その他任意の入力機器を用いて構成できる。
請求項６は、前記カードリーダの読取位置及び前記カードライタの書込位置は共通であることを特徴とする。
本発明に係る機器課金システムにおいて、プリペイドカードの内容を読取る際に該カードを置く位置は、プリペイドカードに情報を書込む際に該カードを置く位置と共通であることが望ましい。つまり、プリペイドカードの読取位置と書込位置とは共通であることが望ましい。これにより、プリペイドカードに対する作業の手間を小さく抑えることができ、装置の外観形状を小さくすることができる。
請求項７は、前記携帯記憶手段に記憶されている前記利用者管理符号、及び前記機器指示符号は、バーコード、及び／又は、ＲＦＩＤタグにより構成されていることを特徴とする。
携帯記憶手段に記憶する符号は、比較的情報量が少ない場合はバーコードで十分である。しかし、その他の情報を記憶する場合は、バーコードでは不足になる場合がある。そのような時は、ＲＦＩＤタグに情報を記憶することにより、より多くの情報を記憶することを特徴とするができる。従って、情報量と情報内容によりバーコードとＲＦＩＤタグを使い分けることが好ましい。
【００１１】
請求項８は、病室内にある機器の使用に対する課金をプリペイドカードによって管理する機器課金システムにおいて、前記プリペイドカードには、前記機器に対応した符号である機器符号を記憶する機器符号領域と、前記機器の使用可能量を示す残度数を記憶する残度数領域と、オン状態及びオフ状態を選択的にとり得る清算フラグとが設けられており、さらに、前記機器符号を記憶したメモリと、患者を管理するための符号である患者管理符号及び使用可能な機器を示す機器指示符号を記憶しており患者の腕に装着されるリストバンドと、前記リストバンドに記憶された前記機器指示符号を読取るリストバンドリーダと、前記プリペイドカードの前記機器符号領域、前記残度数領域及び前記清算フラグに記憶されたデータを読込むプリペイドカードリーダと、前記プリペイドカードの前記機器符号領域、前記残度数領域及び前記清算フラグにデータを書込むプリペイドカードライタと、を有し、前記プリペイドカードリーダ及び前記プリペイドカードライタにおける前記プリペイドカードの読取位置は共通であり、さらに、操作者によって操作されて清算処理信号を出力する清算指示手段と、前記メモリに記憶された前記機器符号、前記リストバンドリーダの出力信号、前記プリペイドカードリーダの出力信号に基づいて、前記機器及び前記プリペイドカードライタの動作を制御する制御手段と、を有し、前記制御手段は、前記プリペイドカードリーダで前記機器符号領域から読取ったデータと、前記メモリに記憶された前記機器符号とが一致するときに、前記機器を使用可能とし、前記機器に対する課金処理を行い、さらに、前記リストバンドリーダで読取った前記機器指示符号と前記メモリに記憶された前記機器符号とが一致し、前記清算指示手段から清算処理信号を受け取ったときに、前記プリペイドカードライタによって前記プリペイドカードの前記清算フラグをオン状態とすることを特徴とする。
【００１２】
請求項９は、病室内にある機器の使用に対する課金をプリペイドカードによって管理する機器課金システムにおいて、前記プリペイドカードには、患者を管理するための符号である患者符号を記憶する患者符号領域と、前記機器の使用可能量を示す残度数を記憶する残度数領域と、オン状態及びオフ状態を選択的にとり得る清算フラグとが設けられており、さらに、前記プリペイドカードの前記患者符号領域、前記残度数領域及び前記清算フラグに記憶されたデータを読込むプリペイドカードリーダと、前記プリペイドカードの前記患者符号領域、前記残度数領域及び前記清算フラグにデータを書込むプリペイドカードライタと、前記患者符号を記憶しており患者の腕に装着されるリストバンドと、前記リストバンドに記憶された前記患者符号を読取るリストバンドリーダと、前記患者符号を記憶するための患者符号領域を備えた記憶媒体と、操作者によって操作されて清算処理信号を出力する清算指示手段と、前記記憶媒体の患者符号領域内の記憶内容、前記リストバンドリーダの出力信号、前記プリペイドカードリーダの出力信号に基づいて、前記機器及び前記プリペイドカードライタの動作を制御する制御手段と、を有し、前記制御手段は、前記リストバンドリーダで前記リストバンドから読取った前記患者符号を前記記憶媒体の患者符号領域内に記憶し、前記患者符号を前記プリペイドカードライタによって前記プリペイドカードの患者符号領域内に記憶し、前記プリペイドカードリーダで前記プリペイドカードの患者符号領域から読取った患者符号と前記記憶媒体の患者符号領域内に記憶された患者符号とが一致するときに前記機器を使用可能とすると共に前記機器に対する課金処理を行い、さらに、前記リストバンドリーダで読取った前記患者符号と前記記憶媒体の患者符号領域内に記憶された前記患者符号とが一致し、さらに前記清算指示手段から清算処理信号を受け取ったときに、前記プリペイドカードライタによって前記プリペイドカードの清算フラグをオン状態とすることを特徴とする。
【００１３】
請求項１０は、前記リストバンドは、前記患者管理符号がバーコードとして印字されており腕に装着されるバンド部分と、前記機器指示符号が記憶されており前記バンド部分に着脱可能に取り付けられたＩＣタグとを有し、前記ＩＣタグは、前記機器指示符号を記憶したメモリと、該メモリに記憶されたデータを処理するプロセッサとを有することを特徴とする。
請求項１１は、前記機器は、病室内に設けられた床頭台に設けられたテレビ受像機及び／又は冷蔵庫であることを特徴とする。
【発明の効果】
【００１４】
本発明の機器課金システムによれば、プリペイドカードの機器符号領域内に記憶された機器符号と機器側のメモリ内に記憶された機器符号とが一致することを条件として、機器の使用を許可することにしたので、プリペイドカードを他人に他の機器で使用されてしまうという盗用を防止できる。また、他人が他人のプリペイドカードによって利用者の機器を使用することを禁止できる。
例えば、病院等に設置された従来の機器課金システムにおいて、セキュリティを確保するために、プリペイドカードの購入時に診察券に記憶されている診察券番号との照合を条件とするものがあった。しかしながら、診察券は一般的には入院時にナースステーションにおいて管理されるものであるので、プリペイドカードの購入に際して診察券の照合が条件にされる場合には、プリペイドカードの購入のための手続きが非常に煩雑になって実用的でないという問題があった。また、患者を見舞いに来た者が見舞いのためにプリペイドカードを購入するということもできなかった。これに対し、本発明の機器課金システムにおいては、プリペイドカードの購入時には、診察券の照合その他の条件は何等課されないので、プリペイドカードの購入が非常に簡単になり、患者以外の第三者の購入も可能になった。
さらに、従来の機器課金システムにおいて、プリペイドカードの清算時に診察券番号との照合を条件に課したものがあった。この場合も、診察券が無いと清算ができないという、煩雑な手続きが必要であった。場合によっては、患者自身が清算機又は精算機の所まで行かないと、清算ができなかった。これに対し、本発明では、機器が置かれた所で患者が清算指示手段を操作して使用済みのプリペイドカードに清算フラグを立てれば、そのプリペイドカードに関して誰でも精算機の所で清算を行うことができる。これにより、清算の作業が非常に楽になり、さらに、患者自身がわざわざ精算機の所まで行かなくても、患者の意を受けた者によって清算を行うことができるようになった。このため清算処理が非常に便利で実用的になった。
【図面の簡単な説明】
【００１５】
【図１】本発明に係る機器課金システムの第１の実施形態を示すブロック図である。
【図２】本発明に係る機器課金システムの第２の実施形態を示すブロック図である。
【図３】図１及び図２の機器課金システムの他の主要要素であるリストバンドを示す斜視図であり、（ａ）は１つの実施形態、（ｂ）は他の１つの実施形態、（ｃ）は他の１つの実施形態を示す図である。
【図４】図１及び図２の機器課金システムの主要要素である床頭台を示す斜視図である。
【図５】図１及び図２の機器課金システムのさらに他の主要要素であるカード販売機を示す正面図である。
【図６】図１及び図２の機器課金システムのさらに他の主要要素であるカード精算機を示す正面図である。
【図７】図１の機器課金システムの動作を示すフローチャートである。
【図８】図２の機器課金システムの動作の一部を示すフローチャートである。
【図９】図２の機器課金システムの動作の他の一部を示すフローチャートである。
【図１０】病院内での処理を示す工程図である。
【発明を実施するための形態】
【００１６】
以下、本発明に係る機器課金システムを実施形態に基づいて説明する。なお、本発明がこの実施形態に限定されないことはもちろんである。また、これ以降の説明では図面を参照するが、その図面では特徴的な部分を分かり易く示すために実際のものとは異なった比率で構成要素を示す場合がある。
【００１７】
図１は、本発明に係る第１の実施形態の機器課金システムをブロック図によって示している。この機器課金システム１は、病院内の複数の病室内に設置される床頭台２と、プリペイドカードとしてのＩＣ（Integrated Circuit）カード３と、患者（利用者）が腕に装着するリストバンド（携帯記憶手段）４と、ＩＣカードの販売機６と、ＩＣカードの精算機７とを有している。複数の床頭台２のそれぞれには固有の識別符号である機器符号が割り当てられている。例えば、機器符号は文字及び／又は数字を含んだ一桁又は複数桁の符号によって構成されている。
なお、本明細書において、「清算」とはＩＣカード等の使用終了時に決まりをつけるための計算のことであり、「精算」とはＩＣカードに関して行われる種々の計算のことである。清算は精算の一種類である。
【００１８】
図２は、本発明に係る第２の実施形態の機器課金システムをブロック図によって示している。同じ構成要素には図１と同じ参照番号を付して説明する。図２が図１と異なる点は、入力ユニット３１に制御部４０と患者符号領域を備えたメモリ５３を備え、メモリ３７には機器符号領域４２を患者符号領域に変更した点である。即ち、図１の第１の実施形態では、床頭台２は固有の識別符号である機器符号が割り当てられているのに対して、図２の第２の実施形態では、床頭台２には固有の識別符号である機器符号は割当てられず、患者符号が割当てられている点が最も大きな相違点である。
【００１９】
リストバンドリーダ（リーダ）３２は、図３（ｃ）のリストバンド４に記憶されている情報、特にバーコード１１を読取るためのデータ読取り機器である。リストバンドリーダ３２は周知のバーコードリーダ、例えば光学方式のバーコードリーダによって構成されている。リストバンドリーダ３２には制御回路３５が付設されており、その制御回路３５には制御部４０及びメモリ５３が含まれている。制御部４０はリストバンドリーダ３２の出力信号に対して所定の処理を行う。メモリ５３は患者符号を記憶するための患者符号領域として機能する。
リストバンドリーダ３２は、リストバンド４の患者符号１１以外に、クリア用タグ６５上にバーコードとして設けられたクリア用符号（クリア符号）６６も読み取ることができるようになっている。このクリア用符号６６は床頭台２の制御系内のメモリを初期状態に戻すための信号を生成するために用いられる。クリア用タグ６５は、通常は看護師によって操作される。尚、バーコードとして１次元バーコード又はＱＲコードの何れを使用しても構わない。
リストバンド４は、図３（ａ）に示すように、柔軟性のある薄い合成樹脂によって形成されたバンド部分８と、このバンド部分８に着脱可能に取付けられたＩＣタグ９とを有している。このリストバンド４は入院当初に患者に手渡され、患者が入院している間、常時、患者の腕に嵌められるものである。バンド部分８の一部には、患者を管理する際に使用する符号である患者管理符号１１がバーコード形式で記憶されている。この患者管理符号１１は、通常、文字及び／又は数字を含んだ複数桁の符号である。
【００２０】
ＩＣタグ９はＩＣチップ１２を備えている。ＩＣチップ１２はマイクロプロセッサ及びメモリを含んでいる。メモリには、文字及び／又は数字を含んだ複数桁の符号１３が機器指示符号として記憶されている。機器指示符号１３は、病院内に設置されている複数の床頭台２のそれぞれに割り当てられた識別符号である機器符号に対応した符号である。ＩＣタグ９は、通常、病院内のナースステーションに、異なった機器指示符号のものが床頭台２の設置数分だけ備えられているか、或いは、機器指示符号１３のみ空白にしたＩＣタグ９をリストバンド４に固定しておき、患者の病室が決定したときに機器符合と対応する機器指示符号１３を書き込むようにしても良い。尚、ＩＣタグ９は、非接触式、接触式、両方の方式が可能なもの等、任意に選択できる。従って、患者が入院中に他の病室に移動した場合は、ナースステーションで、当該患者のリストバンド４に取り付けられたＩＣタグ９を、移動した病室の床頭台に割当てられた機器符号が記憶されたＩＣタグ９に取り替えるか、或いは、ＩＣタグ９の機器指示符号１３を書き換える。
【００２１】
また、リストバンド４は、図３（ｃ）に示すように、柔軟性のある薄い合成樹脂によって形成されたバンド部分８と、このバンド部分８に取り付けられたバーコード印刷部９とを有している。バーコード印刷部９には患者を管理するための識別符号である患者符号１１がバーコードによって印刷されている。この患者符号１１は、ナースステーションのような病院内の担当部署によって印刷されても良いし、病院外の担当業者によって印刷されても良い。リストバンド４は入院当初に患者に手渡され、患者が入院している間、常時、患者の腕に嵌められるものである。患者符号１１は、通常、電子データ的には２値情報の組合せによって形成されるデータであり、概念的には文字及び／又は数字を含んだ複数桁の符号である。
なお、患者符号１１はバーコードによって表現されるデータに限られない。例えば、リストバンド４にＩＣチップを取り付け、そのＩＣチップ内に患者符号１１を電子データとして記憶させることも可能である。
【００２２】
入院患者に対して病室が決まると、その患者に割り当てられた患者管理符号がナースステーション又は別の場所で当該患者のためのリストバンド４に印字される。そして、その決められた病室内の床頭台に割り当てられた機器符号と同じ符号を記憶しているＩＣタグ９が、ナースステーションにおいてそのリストバンド４に装着され、患者の腕に嵌められる。
尚、本実施形態では、携帯記憶手段としてリストバンド４を例に示したが、リストバンドに限らず、携帯可能な記憶手段であれば良い。例えば、首から紐で吊り下げるカード、指輪、腕輪、足首輪、ブローチ、又はストラップ付のＲＦＩＤタグ等でも構わない。即ち、本人を特定する情報が記憶された記憶手段で、且つ、常に容易に携帯可能な構成を有するものが好ましい。
【００２３】
図１のＩＣカード３はＩＣチップ１４を備えている。ＩＣチップ１４はマイクロプロセッサ及びメモリを含んでいる。メモリには、清算フラグ１６、残度数領域１７、機器符号領域１８の各記憶領域が設定されている。これらの各記憶領域の詳細は後述する。
床頭台２は、図４に示すように、例えば、幅が４００ｍｍ〜５００ｍｍ、奥行きが５００ｍｍ〜６００ｍｍ、高さが１２００ｍｍ〜１５００ｍｍ程度の収納家具である。この床頭台２は、例えば、病室のベッドの近傍に配置される。この床頭台２は、スライド移動可能な３つの引き出し１９ａ、１９ｂ、１９ｃと、出し入れ可能なスライドテーブル２１と、固定テーブル２２と、天井板２３とを有する。
下段の引き出し１９ａの中には機器としての冷蔵庫２４が格納されている。中段の引き出し１９ｂは開閉が自由であり、その中に任意の物を収納できる。上段の引き出し１９ｃの中には金庫２６が格納されている。また、上段引き出し１９ｃの内部の手前部分にはロック装置２７が設けられている。ロック装置２７は、オン状態のときに引き出し１９ｃをロック状態、すなわち引き出し移動不可能状態にする。一方、ロック装置２７は、オフ状態のときに引き出し１９ｃの出し入れ移動を自由とする。なお、ロック装置２７は自動ロック装置であり、引き出し１９ｃを収納すると自動的にロック状態、すなわちオン状態となる。ロック装置２７のオン状態とオフ状態との切り替えは図１においてリストバンドリーダ３２の出力信号に従って行われる。
【００２４】
図４において、スライドテーブル２１はスライド移動によって出し入れ自由なテーブルである。固定テーブル２２上には回転盤２８が置かれ、その回転盤２８の上に機器としてのテレビ受像機２９が設置されている。テレビ受像機２９は表示部が液晶表示装置によって構成された、いわゆる液晶テレビである。固定テーブル２２の前部には入力ユニット３１が置かれている。この入力ユニット３１には、リストバンドリーダ３２及び清算ボタン３３が設けられている。
リストバンドリーダ３２は、リストバンド４に記憶されている情報、特にＩＣタグ９のＩＣチップ１２のメモリ内に記憶された機器指示符号１３（図３（ａ）参照）を読取るためのデータ読取り機器である。ＩＣタグ９が非接触式の場合は、リストバンドリーダ３２は電力供給用の磁界を発生させるための磁界生成部や、データをやり取りする通信部等を備えている。一方、ＩＣタグ９が接触式であれば、リストバンドリーダ３２はＩＣチップの端子と導通をとるための接触端子を備えている。
図４のスライドテーブル２１の上方であって固定テーブル２２の下方の床頭台２の内部に、制御装置３４が設けられている。この制御装置３４は、図１及び図２に示すように、演算制御部であるＣＰＵ（Central Processing Unit：中央処理装置）３６と、メモリ３７と、タイマ装置３８と、ＩＣカードリーダ／ライタ３９とを有している。各機器はバス４４によって電気的につながれている。
【００２５】
メモリ３７は、半導体メモリ、機械式メモリ、ＲＡＭ（Random Access Memory）、ＲＯＭ（Read Only Memory）等といった各種の記憶媒体によって構成されている。機械式メモリとしては、ＣＤ（Compact Disk）、ＨＤ（ハードディスク）、ＤＶＤ（Digital Versatile Disk）が考えられる。
図１のメモリ３７の内部には課金プログラム４１及び機器符号領域４２が設けられている。課金プログラム４１は、テレビ受像機２９及び冷蔵庫２４を使用する者に対して使用料を課する処理の手順を記憶している。機器符号領域４２は、床頭台２に割り当てられた符号である機器符号を記憶した領域である。機器符号は文字及び／又は数字を含んだ一桁又は複数桁の符号であり、例えば０００１、０００２、…等といった数字とすることができる。
また、図２のメモリ３７の内部には課金プログラム４１及び患者符号領域４２が設けられている。課金プログラム４１は、機器としてのテレビ受像機２９及び機器としての冷蔵庫２４を使用する者に対して使用料を課する処理の手順を記憶している。患者符号領域４２は、患者符号を記憶するための領域である。
【００２６】
ＣＰＵ３６は、メモリ３７に記憶された課金プログラム４１に従って演算制御を行って課金機能を達成する。タイマ装置３８は、テレビ受像機２９及び冷蔵庫２４への通電時間を計測してその時間に対応した信号をバス４４へ出力する。また、タイマ装置３８は、ＣＰＵ３６からの指令に基づいて、テレビ受像機２９及び冷蔵庫２４への通電を制御する。
ＩＣカードリーダ／ライタ３９は、ＩＣカード３が保有するデータを読取るリーダ機能と、ＩＣカード３へデータを書込むライタ機能を併せて有する機器である。そして、ＩＣカードリーダ／ライタ３９は図４に示すように、ＩＣカード３のための挿入口４３を有している。この挿入口４３はリーダ部分とライタ部分とに共通したカードの挿入口である。データの読込み及び書込みは、例えば、データ通信によって行われる。これ以降、ＩＣカードリーダ／ライタ３９がリーダとして機能する場合は単にＩＣカードリーダ３９と呼び、ＩＣカードリーダ／ライタ３９がライタとして機能する場合は単にＩＣカードライタ３９と呼ぶことがある。
【００２７】
カード販売機６は、図５に示すように、金銭投入口４５と、カード種選択ボタン４６と、金銭処理装置４７と、金銭支払口４８と、制御装置４９と、カード貯留部５０と、カード搬送装置５１と、カード排出口５２とを有している。カード貯留部５０には、使用可能度数が異なった未使用ＩＣカード、例えば￥５、０００用カード５０ａ及び￥３、０００用カード５０ｂの２種類が用意されている。カード種選択ボタン４６には、異なった種類のカードから希望のものを選択するための複数のボタンが設けられる。本実施形態では、￥５、０００カードを選択するためのボタン４６ａと、￥３、０００カードを選択するためのボタン４６ｂとの２種類が設けられている。もちろん、ＩＣカードの種類としては、上記の２種類以外に必要に応じて任意に設定できる。
なお、ＩＣカードの度数（すなわち、金額）の中には、保証金として￥５００の度数が含まれている。この保証金はＩＣカードの回収を促進するために設定されているものであり、後述するカード精算機にＩＣカードを投入したときに、カードの回収に協力したという意味でカード使用者に￥５００を返還するものである。
【００２８】
カード購入者は、金銭投入口４５に金銭を投入し、希望の種類のボタン４６を操作、例えば押圧する。投入された金銭の額は金銭処理装置４７によって計算され、その結果は信号として制御装置４９へ伝送される。また、購入者によって選択されたカード種類が信号として制御装置４９へ伝送される。金銭処理装置４７は釣銭を計算し、その釣銭が金銭支払口４８から払い出される。
制御装置４９は購入者によって選択されたカード種を認識し、対応するＩＣカード５０ａ又は５０ｂを所定枚数取り出し、搬送装置５１によって搬送させて、カード排出口５２から排出して購入者へ提供する。このＩＣカード３には清算フラグ１６、残度数領域１７及び機器符号領域１８が設けられている。当初は、清算フラグ１６はオフ状態であり、残度数領域１７には最大使用度数が記憶されており、機器符号領域１８には未だ機器符号は記憶されていない。
【００２９】
カード精算機７は、図６に示すように、カード投入口５４と、カード読取装置５５と、計算装置５６と、制御装置５７と、金銭払出装置５８と、金銭払出口５９と、カード搬送装置６１と、カード収納装置６２とを有している。カード読取装置５５は、ＩＣカード３内の清算フラグ１６、残度数領域１７及び機器符号領域１８の各領域内に記憶されたデータを読取る。
計算装置５６は、読取装置５５から伝送された残度数データに基づいてカード使用者への払戻し金額を計算する。このとき、保証金￥５００を加算する。計算された払戻し金額は信号として出力されて金銭払出装置５８へ伝送される。読取装置５５は清算フラグ１６がオン状態であるかオフ状態であるかを読取る。読取ったデータは制御装置５７へ伝送される。制御装置５７は伝送された清算フラグ１６内のデータに基づいて、金銭払出装置５８及びカード搬送装置６１の動作を制御する。
金銭払出装置５８は、制御装置５７からの指示に基づいて、計算装置５６から伝送された払戻し金額の信号に従って、必要な金種の紙幣又は硬貨を自身に内蔵している収納部から取り出して金銭払出口５９へ排出し、カード使用者へ払い戻す。カード搬送装置６１は、制御装置５７からの指示に基づいて、読取装置５５による読取処理が終了したＩＣカード３をカード収納部６２へ搬送する。カード収納部６２へ回収されたＩＣカード３は必要に応じて再利用に供される。
【００３０】
以下、上記構成より成る第１の実施形態に係る機器課金システムの動作について説明する。
本機器課金システムは、入院した患者が病室内に設置された図４の床頭台２に配備された機器としてのテレビ受像機２９及び同じく機器としての冷蔵庫２４を使用することに対する課金を管理するものである。患者は、床頭台２の引き出し１９ｃ内に配備された金庫２６を利用できるが、本実施形態ではこの金庫２６の使用に対しては課金を行わない。しかしながら、必要に応じて、金庫２６の使用に対して課金を行うことにしても良い。
【００３１】
図１０において、患者は入院に際して医事課へ出向く（工程Ｐ１）。医事課は、入院患者に関する情報を書込むための用紙を作成し、さらに当該患者のための診察券を作成する。患者が既に診察券を保有している場合には、その診察券を流用する。
次に、患者は、看護師に連れられて又は自分だけで、自分が入る病室を担当するナースステーションへ出向く（工程Ｐ２）。このナースステーションにおいて、看護師が図３（ａ）のリストバンド４を患者のために作成して患者の腕に装着する。
リストバンド４は患者を識別するための患者管理符号１１をバーコード形式で記憶している。このバーコード１１は看護師がナースステーションにおいてバンド部分８に印刷等によって形成しても良いし、あるいは、異なったバーコード１１が形成されている複数のリストバンド４を予めナースステーションに用意しておいても良い。
【００３２】
通常、ナースステーションは複数の病室を管理する。それらの病室内のそれぞれには、通常、１個又は複数個のベッドが設置されている。そして、個々のベッドに図３の床頭台２が付設されている。複数の床頭台２のそれぞれには、それらを識別するための符号である機器符号、例えば０００１、０００２、…等といった数字が個別に割り当てられている。これらの機器符号は、図１の床頭台２の制御装置３４のメモリ３７の機器符号領域４２内に記憶されている。
ナースステーションには、図３（ａ）に示すＩＣタグ９がリストバンド４から外された状態で複数、用意されている。これら複数のＩＣタグ９内のＩＣチップ１２には、床頭台２の機器符号と同じ符号である機器指示符号１３が１つずつ記憶されている。つまり、ナースステーションには、個々の床頭台２の機器符号と同じ機器指示符号を記憶したＩＣタグ９が床頭台２の数分だけ用意されている。
【００３３】
看護師がナースステーションにおいて患者の腕にリストバンド４を装着する際、同看護師は、これから患者が利用することになる床頭台２に割り当てられている機器符号と同じ機器指示符号１３が記憶されているＩＣタグ９を、図３（ａ）に示すようにリストバンド４のバンド部分８に装着する。こうして、患者は、リストバンド４を腕に嵌めることにより、患者管理符号１１及び機器指示符号１３の両方を身に着けたことになる。リストバンド４を身に着けた患者は、割り当てられた病室へ看護師に案内されて又は自分自身で入る（工程Ｐ３）。患者は入院の間、常時、リストバンド４を腕に嵌めている。
病室へ入った患者が腕に取付けたリストバンド４のＩＣタグ９を図４の入力ユニット３１のリストバンドリーダ３２の読取領域に当てると、図１において、リストバンドリーダ３２の出力端子に信号が出力され、その信号が金庫ロック装置２７へ伝送され、これによりロック装置２７がオフ状態、すなわち開状態となる。ロック装置２７が開状態になると、該当する引き出し１９ｃは患者が自由に出し入れできる状態になる。患者は必要に応じて、引き出し１９ｃを引き出して、所持物を金庫２６へ収納する。ロック装置２７は自動ロック装置であり、患者が引き出し１９ｃを床頭台２の中へ引き込めると、ロック装置２７は自動的にオン状態となり、引き出し１９ｃ従って金庫２６がロック状態となる。
【００３４】
次に、患者が床頭台２に置かれたテレビ受像機２９又は冷蔵庫２４を利用しようとする場合、患者はまず、図５のカード販売機６の所へ行き、料金を支払ってＩＣカード３を購入する。このとき、ＩＣカード３内の清算フラグ１６はオフ状態であり、残度数領域１７は最大の使用可能度数であり、機器符号領域１８内にはまだ機器符号は記憶されていない。
ＩＣカード３を入手した患者は、テレビ受像機２９又は冷蔵庫２４の使用に際して、ＩＣカード３を図１及び図４において、制御装置３４のＩＣカードリーダ／ライタ３９のカード挿入口４３へ差し入れる。ＣＰＵ３６は、図７において、ＩＣカード３（図１参照）が挿入口４３へ挿入されたと判断すると（ステップＳ１でＹＥＳ）、そのＩＣカード３の機器符号領域１８内に機器符号が記憶されているかどうかをチェックする。
ＩＣカードが初めて使われた場合には、機器符号領域１８内にはまだ機器符号が記憶されていないので（ステップＳ２でＮＯ）、ＣＰＵ３６は、図１のメモリ３７の機器符号領域４２に記憶されている機器符号を読み出して、ＩＣカードライタ３９を使用してＩＣカード３の機器符号領域１８内に当該機器符号を記憶させる（ステップＳ３）。
【００３５】
そして、ステップＳ５へ進んで、テレビ受像機２９及び冷蔵庫２４に対する課金処理を開始する。具体的には、ＩＣカード３の残度数領域１７内に残度数が存在している限りにおいてテレビ受像機２９及び冷蔵庫２４の使用を可能とする。また、テレビ受像機２９及び冷蔵庫２４の使用時間に応じて残度数を減算し、減算結果を残度数領域１７内に上書きする。さらに、残度数領域１７内の残度数が０（ゼロ）になったときに、テレビ受像機２９及び冷蔵庫２４の使用を不可能とする。例えば、これらの機器への通電ができないように制御する。
患者は、テレビ受像機２９及び冷蔵庫２４を使用しないときには、ＩＣカード３をＩＣカードリーダ／ライタ３９から取り外しておくことにより、残度数が無駄に減少することを回避できる。或いは、テレビ受像機２９のスイッチをＯＦＦしたときは、課金を行わないようにしてもよい。患者が再度、テレビ受像機２９及び冷蔵庫２４を使用したいときには、ＩＣカード３を再度、カード挿入口４３へ挿入する。今度は、ＩＣカード３の機器符号領域１８内に機器符号が記憶されているので（ステップＳ２でＹＥＳ）、ステップＳ４へ進んでＩＣカード３内に記憶された機器符号１８と床頭台２のメモリ３７内の機器符号４２とが同じか違うかが判定され、同じであれば（ステップＳ４でＹＥＳ）、ステップＳ５へ進んで課金処理を行う。
【００３６】
以上のように、ＩＣカード３側の機器符号と床頭台２側の機器符号とが一致するか否かをチェックした上で、テレビ受像機２９及び冷蔵庫２４の使用を許可するようにしたので、不正なＩＣカードの使用を禁止できる。具体的には、他人がＩＣカードを盗用することを禁止できる。
【００３７】
次に、患者が退院その他の理由により、テレビ受像機２９及び冷蔵庫２４を使用しなくなった場合には、患者はＩＣカード３を清算する。この場合には、患者は、自身の身に着けているリストバンド４（図３（ａ）参照）のＩＣタグ９を、図１及び図４においてリストバンドリーダ３２の読取位置に当て、同時に清算ボタン３３を操作、すなわち押圧する。
すると、ＣＰＵは、図７のステップＳ６及びＳ７のそれぞれにおいて「ＹＥＳ」と判定し、リストバンド４側の機器指示符号１３が床頭台２側の機器符号（図１の符号４２）と同じかどうかをチェックする（ステップＳ８）。そして、一致していれば（ステップＳ９でＹＥＳ）、正規の患者からの指示であると判断して、ＩＣカードライタ３９を使ってＩＣカード３内の清算フラグ１６を立てる（すなわち、オン状態にする）（ステップＳ１０）。そしてさらに、ＩＣカードライタ３９を使ってＩＣカード３内の機器符号１８を消去する。
【００３８】
以上のようにしてＩＣカード３内の清算フラグ１６が立っているＩＣカード３を患者又はその他の者が図６のカード精算機７の所まで持ち運び、さらに投入口５４へそのＩＣカード３を挿入すると、清算フラグ１６内のデータが読取られて制御装置５７へ伝送され、さらに、残度数領域１７内の残度数が読取られて計算装置５６へ伝送される。
制御装置５７は、清算フラグ１６が立っていることを条件として、金銭払出装置５８及びカード搬送装置６１を作動させて、残度数に見合った払戻金を払出口５９から払出し、さらに使用済みＩＣカード３をカード搬送装置６１によってカード収納装置６２内へ回収する。
【００３９】
以上のように本実施形態の機器課金システムによれば、図１において、ＩＣカード３の機器符号領域１８内に記憶された機器符号と、床頭台２の機器符号とが一致することを条件として機器、すなわちテレビ受像機２９及び冷蔵庫２４の使用を許可することにしたので、ＩＣカード３を他人に他の機器で使用されてしまうという盗用を防止できる。また、他人が他人のＩＣカード３によって患者のテレビ受像機２９や冷蔵庫２４を使用することを禁止できる。尚、患者が入院中に他の病室に移動した場合は、ナースステーションで、当該患者のリストバンド４に取り付けられたＩＣタグ９を、移動した病室の床頭台に割当てられた機器符号が記憶されたＩＣタグ９に取り替えるか、或いは、ＩＣタグ９の機器指示符号１３を書き換える。
【００４０】
従来のシステムにおいて、セキュリティを確保するために、ＩＣカードの購入時に診察券に記憶されている診察券番号との照合を条件とするものがあった。しかしながら、診察券は一般的には入院時にナースステーションにおいて管理されるものであるので、ＩＣカードの購入に際して診察券の照合が条件とされる場合には、購入のための手続きが非常に煩雑になって実用的でないという問題があった。また、患者を見舞いに来た者が見舞いのためにＩＣカードを購入するということもできなかった。これに対し、本実施形態のシステムにおいては、ＩＣカードの購入時には、診察券の照合その他の条件は何等課されないので、ＩＣカードの購入が非常に簡単になり、患者以外の第三者の購入も可能になった。
さらに、従来のシステムにおいて、ＩＣカードの清算時に診察券番号との照合を条件に課したものがあった。この場合も、診察券が無いと清算ができないという、煩雑な手続きが必要であった。場合によっては、患者自身が清算機又は精算機の所まで行かないと、清算ができなかった。これに対し、本実施形態では、図１及び図４に示す床頭台２の所で患者が清算ボタン３３を操作して使用済みのＩＣカード３に清算フラグ１６を立てれば、そのＩＣカード３に関して誰でも精算機７の所で清算を行うことができる。これにより、清算の作業が非常に楽になり、さらに、患者自身がわざわざ精算機の所まで行かなくても、患者の意を受けた者によって清算を行うことができるようになった。このため清算処理が非常に便利で実用的になった。
【００４１】
（その他の実施形態）
以上、好ましい実施形態を挙げて本発明を説明したが、本発明はその実施形態に限定されるものでなく、請求の範囲に記載した発明の範囲内で種々に改変できる。
例えば、上記実施形態では、プリペイドカードとして、主に、非接触式のＩＣカードを考えた。しかしならが、プリペイドカードはその他任意のカードを用いることもでき、例えば、接触式のＩＣカードでも良く、非接触及び接触両用のＩＣカードでも良く、あるいはＩＣカードでない磁気検知方式のカードでも良い。
また、上記実施形態では、図３（ａ）に示すように、患者管理符号１１をバーコード形式で記憶している周知のリストバンド４に、床頭台符号に対応した機器指示符号１３を記憶したＩＣタグ９を取付ける実施例を挙げた。しかしながら、患者に対する機器指示符号の付与の仕方としては、ＩＣタグを用いた上記の方法に限られず、任意の方法を採用できる。例えば、図３（ｂ）に示すように、患者管理符号１１をバーコード形式で記憶している周知のリストバンド６４において、患者管理符号１１の隣の領域に機器指示符号１３をバーコード形式で記憶するようにしても良い。
【００４２】
また、上記の実施形態では、課金の対象である機器としてテレビ受像機２９及び冷蔵庫２４の両方を考えたが、機器はそれらのうちのいずれか１つであっても良い。また、テレビ受像機及び冷蔵庫以外の任意の機器としても良い。また、上記の実施形態では、課金の終了を指示するための清算指示手段としてボタン型のスイッチを用いることを考えたが、他の任意の構造のスイッチを用いることができることはもちろんである。
また、カード販売機６は、複数の金種のカードを販売する構成となっているが、操作性及び患者の利便性を考慮して、１種類のカード（例えば、１，０００円のみ）にして、カードの保証金を返金するのではなく、カード回収費として（例えば、１枚１００円）患者に返金して、残金の精算を行わないようにする方法も考えられる。即ち、患者が１，０００円のＩＣカードを購入した場合は、精算時には、残金の有無に拘わらず回収費１００円のみを返金するように制御することにより、床頭台２の制御装置３４は、課金する必要がなくなり制御が簡略化される。その結果、不正なＩＣカードの精算を抑制する効果が期待できる。
【００４３】
次に、上記構成より成る第２の実施形態に係る機器課金システムの動作について図８及び図９のフローチャート及び図１０の工程図を参照しつつ説明する。
本機器課金システムは、入院した患者が病室内に設置された図４の床頭台２に配備された機器としてのテレビ受像機２９及び同じく機器としての冷蔵庫２４を使用することに対する課金を管理するものである。患者は、床頭台２の引き出し１９ｃ内に配備された金庫２６を利用できるが、本実施形態ではこの金庫２６の使用に対しては課金を行わない。しかしながら、必要に応じて、金庫２６の使用に対して課金を行うことにしても良い。
図１０において、患者は入院に際して病院内の医事課へ出向く（工程Ｐ１）。医事課は、入院患者に関する情報を書込むための用紙を作成し、さらに当該患者のための診察券を作成する。患者が既に診察券を保有している場合には、その診察券を流用する。
【００４４】
次に、患者は、看護師に連れられて又は自分だけで、自分が入る病室を担当するナースステーションへ出向く（工程Ｐ２）。このナースステーションにおいて、看護師が図３（ｃ）のリストバンド４を患者のために作成して患者の腕に装着する。
リストバンド４は患者を識別するための患者符号１１をバーコード形式で記憶している。この患者符号１１は、患者の健康状態や診察結果を管理する際に患者を識別するために使用される識別符号である。このような患者符号１１を利用した患者の管理手法は、現在、既に広く実施されている。このバーコード１１は看護師がナースステーションにおいてバーコード印刷部９に印刷等によって形成しても良いし、あるいは、所定の外部部署で予めバーコードを印刷しておいたリストバンド４をナースステーションに用意しておいても良い。
【００４５】
通常、ナースステーションは複数の病室を管理する。それらの病室内のそれぞれには、通常、１個又は複数個のベッドが設置されている。そして、個々のベッドに図４の床頭台２が付設されている。
看護師がナースステーションにおいて患者の腕にリストバンド４を装着することにより、患者を識別するための患者符号１１が患者に割り当てられたことになる。リストバンド４を身に着けた患者は、割り当てられた病室へ看護師に案内されて又は自分自身で入る（工程Ｐ３）。患者は入院している間、常時、リストバンド４を腕に嵌めている。
病室へ入った患者が腕に取付けたリストバンド４のバーコード１１を図４の入力ユニット３１のリストバンドリーダ３２の読取領域に当てると、図２において、リストバンドリーダ３２の出力端子に信号が出力され、その出力信号が制御回路３５へ伝送される。このとき制御回路３５の制御部４０は、図８のステップＳ１１においてバーコードリーダ３２の読取部にリストバンド４やクリア用タグ６５等といった読取物が提示されたと判断し（ステップＳ１１でＹＥＳ）、信号が患者符号であるときには（ステップＳ１２でＹＥＳ）、その患者符号を読取り（ステップＳ１３）、さらにその患者符号を本体制御装置３４（図２参照）側へ出力する（ステップＳ１４）。
さらに、制御部４０は、メモリ５３内に患者符号が記憶されていないときには、読取った患者符号をそのメモリ５３内に記憶する（ステップＳ１５、Ｓ１６）。次に、制御部４０は、読取った患者符号とメモリ５３内の患者符号とを比較し（ステップＳ１７）、それらが同じであれば（ステップＳ１８でＹＥＳ）、図２の金庫ロック装置２７のロック状態を解除する（ステップＳ１９）。これにより、患者は図４において上段引き出し１９ｃを自由に引き出して金庫２６を使用できる。患者が貴重品を持っている場合には、その貴重品を金庫２６の中に収納する。ロック装置２７は自動ロック装置であり、患者が引き出し１９ｃを床頭台２の中へ引き込めると、ロック装置２７は自動的にオン状態となり、引き出し１９ｃ従って金庫２６がロック状態となる。
【００４６】
このように、金庫２６は、患者が身に着けているリストバンド４に付された患者符号１１だけによって開けることができるようになっているので、患者以外の者は開けることができず、それ故、万全な安全確保を実現できる。特に、リストバンド４は患者が常に身に着けているものであり、他人が入手することはほとんど無いので、盗難の発生をほぼ確実に解消できる。これにより、患者及び病院に大きな安心を提供できる。
【００４７】
図２において、患者がリストバンド４をリストバンドリーダ３２に提示するのに代えて、看護師がクリア用タグ６５をリストバンドリーダ３２に提示すれば（図８のステップＳ２０）、入力ユニット３５内の制御部４０は、クリア用符号６６に対応した信号を本体制御装置３４側へ出力する（ステップＳ２１）。そしてこの場合、制御部４０は、ステップＳ２２において、図２の患者符号領域（メモリ）５３内のデータ、すなわち患者符号をクリア、すなわち消去する。この看護師によるクリア処理は、患者が別の病室に移動したり、患者が退院した後に、別の患者の入院に備えるために行われ処理である。即ち、患者は、入院中に個室から大部屋に、或いは大部屋から個室に、或いは他の大部屋又は他の個室に移動することが良くある。このような場合、床頭台２に固有の機器符合が割当てられていると、病室を移動したとき、移動先の病室にある床頭台を使用することができなくなる。即ち、床頭台を使用するためには、図１の第１の実施形態で説明したとおり、リストバンド４のＩＣタグ９を交換するか、データを書き換える必要が出てくる。そこで本実施形態では、リストバンド４には、患者管理符号１１を記録し、メモリ３７の患者符号領域４２の内容とリストバンド４の患者管理符号１１を同一のデータとすることにより、患者が移動する場合は、看護師によりクリア用タグ６５でメモリ３７の患者符号領域４２に記憶されている患者管理符号１１を消去して、次の患者が使用できないようにする。そして、移動先の床頭台２に移動した患者のリストバンド４に記録されている患者管理符号１１をリストバンドリーダ３２で読み取り、そのデータを患者符号領域４２に記憶する。この結果、床頭台２に固有の機器符合を設ける必要がなく、患者は移動した病室の床頭台を使用することができる。
【００４８】
以下、図２のメモリ３７内に格納された課金プログラム４１及びそれに従って演算及び制御を実行するＣＰＵ３６によって実現される機能について説明する。
患者が床頭台２に置かれたテレビ受像機２９又は冷蔵庫２４を利用しようとする場合、患者はまず、図５のカード販売機６の所へ行き、料金を支払ってＩＣカード３を購入する。このとき、ＩＣカード３内の清算フラグ１６はオフ状態であり、残度数領域１７は最大の使用可能度数であり、患者符号領域１８内にはまだ患者符号は記憶されていない。
ＩＣカード３を入手した患者は、テレビ受像機２９又は冷蔵庫２４の使用に際して、図２又は図４においてリストバンド４をリストバンドリーダ３２に提示し、さらに、購入したＩＣカード３を、制御装置３４のＩＣカードリーダ３９のカード挿入口４３へ差し入れる。このとき、入力ユニット３１の制御部４０は、図８のステップＳ１４でリストバンド４内の患者符号１１を本体側制御装置３４へ伝送し、制御装置３４は図９のステップＳ３１で患者符号１１が伝送されたことを判断する。
【００４９】
床頭台２が今回の患者によって初めて使用される場合、制御装置３４のメモリ３７の患者符号領域４２内には未だ患者符号は記憶されていない。患者符号領域４２内に患者符号のデータが無い場合、ＣＰＵ３６は、伝送された患者符号を当該記憶領域４２内に記憶する（ステップＳ３２、Ｓ３３）。一方、患者符号領域４２内に既に患者符号が記憶されている場合には（ステップＳ３２でＹＥＳ）、ＣＰＵ３６は、伝送された患者符号とメモリ３７の患者符号領域４２内の患者符号とを比較する（ステップＳ３４）。
本体側制御装置３４へ伝送された患者符号とメモリ３７の患者符号領域４２内の患者符号とが一致した場合（ステップＳ３５でＹＥＳ）、ＣＰＵ３６はＩＣカードリーダ３９にＩＣカード３が提示されているかどうかをチェックする（ステップＳ３６）。ＩＣカードが初めて使われる場合には、ＩＣカード３の患者符号領域１８内には未だ患者符号が記憶されていないので（ステップＳ３７でＮＯ）、ＣＰＵ３６は、メモリ３７の患者符号領域４２内に記憶されている患者符号を読み出して、ＩＣカードライタ３９を使用してＩＣカード３の患者符号領域１８内に当該患者符号を記憶させる（ステップＳ３８）。
患者符号領域１８内に患者符号が記憶されている場合には、ステップＳ３９においてＩＣカード３内の患者符号とメモリ３７内の患者符号とが比較され、それらが一致することを条件として（ステップＳ４０でＹＥＳ）テレビ受像機２９及び冷蔵庫２４の使用を許可すると共に、課金処理を開始する（ステップＳ４１）。
【００５０】
具体的には、ＩＣカード３の残度数領域１７内に残度数が存在している限りにおいてテレビ受像機２９及び冷蔵庫２４の使用を可能とする。また、テレビ受像機２９及び冷蔵庫２４の使用時間に応じて残度数を減算し、減算結果を残度数領域１７内に上書きする。さらに、残度数領域１７内の残度数が０（ゼロ）になったときに、テレビ受像機２９及び冷蔵庫２４の使用を不可能とする。例えば、これらの機器への通電ができないように制御する。
患者は、テレビ受像機２９及び冷蔵庫２４を使用しないときには、ＩＣカード３をＩＣカードリーダ／ライタ３９から取り外しておくことにより、残度数が無駄に減少することを回避できる。患者が再度、テレビ受像機２９及び冷蔵庫２４を使用したいときには、ＩＣカード３を再度、カード挿入口４３へ挿入する。今度は、ＩＣカード３の患者符号領域１８内に患者符号が記憶されているので（ステップＳ３７でＹＥＳ）、ステップＳ３９へ進んでＩＣカード３内に記憶された患者符号とメモリ３７内の患者符号とが同じか違うかが判定され（ステップＳ３９）、同じであれば（ステップＳ４０でＹＥＳ）、ステップＳ４１へ進んでテレビ受像機２９及び冷蔵庫２４の使用を許可し、さらに課金処理を行う。
【００５１】
以上のように、ＩＣカード３側の患者符号と床頭台２側の患者符号とが一致するか否かをチェックした上で、テレビ受像機２９及び冷蔵庫２４の使用を許可するようにしたので、不正なＩＣカード３の使用を禁止できる。具体的には、他人がＩＣカードを盗用することを禁止できる。
【００５２】
次に、患者が退院その他の理由により、テレビ受像機２９及び冷蔵庫２４を使用しなくなった場合には、患者はＩＣカード３を清算する。この場合には、患者は、自身の身に着けているリストバンド４（図３（ｃ）参照）を、図２又は図４においてリストバンドリーダ３２の読取位置に当てて提示し、同時に清算ボタン３３を操作、すなわち押圧する。
すると、ＣＰＵ３６は、図９のステップＳ４２において清算ボタン３３が押されたと判断し（ステップＳ４２でＹＥＳ）、さらにステップＳ４３において患者符号が入力ユニット３１から伝送されたと判断する（ステップＳ４３でＹＥＳ）。さらに、伝送された患者符号と本体側制御装置３４のメモリ３７内の患者符号とを比較し（ステップＳ４４）、一致していれば（ステップＳ４５でＹＥＳ）、正規の患者からの指示であると判断して、ＩＣカードライタ３９を使ってＩＣカード３内の清算フラグ１６を立てる（すなわち、オン状態にする）（ステップＳ４６）。
【００５３】
以上のようにしてＩＣカード３内の清算フラグ１６が立っているＩＣカード３を患者又はその他の者が図６のカード精算機７の所まで持ち運び、さらに投入口５４へそのＩＣカード３を挿入すると、清算フラグ１６内のデータが読取られて制御装置５７へ伝送され、さらに、残度数領域１７内の残度数が読取られて計算装置５６へ伝送される。
制御装置５７は、清算フラグ１６が立っていることを条件として、金銭払出装置５８及びカード搬送装置６１を作動させて、残度数に見合った払戻金を払出口５９から払出し、さらに使用済みＩＣカード３をカード搬送装置６１によってカード収納装置６２内へ回収する。清算フラグ１６が立っていなければ、制御装置５７は清算処理を行わない。これにより、患者の意に反した不正な清算を禁止できる。
図２において、看護師又はその他の者によってクリア用タグ６５が入力ユニット３１のリストバンドリーダ３２に提示されると、図８のステップＳ２１においてクリア用信号が生成され、そのクリア用信号が図９のステップＳ４７において認識され（ステップＳ４７でＹＥＳ）、ステップＳ４８において各メモリ内の情報が消去、すなわちクリアされる。具体的には、図２の本体側制御装置３４のメモリ３７の患者符号領域４２内のデータ及び入力ユニット３１の制御回路３５の患者符号領域５３内のデータの両方がクリアされる。これにより、当該病室に入院する次の患者が床頭台２のテレビ受像機２９及び冷蔵庫２４を課金によって使用でき、さらに金庫２６をリストバンド４の提示によって使用できることの準備が完了する。
【００５４】
以上のように本実施形態の機器課金システムによれば、図２において、ＩＣカード３の患者符号領域１８内に記憶された患者符号と、床頭台２の制御装置３４のメモリ３７内の患者符号とが一致することを条件として機器、すなわちテレビ受像機２９及び冷蔵庫２４の使用を許可することにしたので、ＩＣカード３を他人によって他の床頭台２で使用されてしまうという盗用を防止できる。また、患者以外の他人が他人のＩＣカード３によってその患者のテレビ受像機２９や冷蔵庫２４を使用することを禁止できる。
従来のシステムにおいて、セキュリティを確保するために、ＩＣカードの購入時に診察券に記憶されている診察券番号との照合を条件とするものがあった。しかしながら、診察券は一般的には入院時にナースステーションにおいて管理されるものであるので、ＩＣカードの購入に際して診察券の照合が条件とされる場合には、ＩＣカードの購入のための手続きが非常に煩雑になって実用的でないという問題があった。また、患者を見舞いに来た者が見舞いのためにＩＣカードを購入するということもできなかった。これに対し、本実施形態のシステムにおいては、ＩＣカードの購入時には、診察券の照合その他の条件は何等課されないので、ＩＣカードの購入が非常に簡単になり、しかも患者以外の第三者の購入も可能になった。
さらに、従来のシステムにおいて、ＩＣカードの清算時に診察券番号との照合を条件に課したものがあった。この場合も、診察券が無いと清算ができないという、煩雑な手続きが必要であった。場合によっては、患者自身が清算機又は精算機の所まで行かないと、清算ができなかった。これに対し、本実施形態では、図２又は図４に示す床頭台２の所で患者が清算ボタン３３を操作して使用済みのＩＣカード３に清算フラグ１６を立てれば、そのＩＣカード３に関して誰でも精算機７の所で清算を行うことができる。これにより、清算の作業が非常に楽になり、さらに、患者自身がわざわざ精算機の所まで行かなくても、患者の意を受けた者によって清算を行うことができるようになった。このため清算処理が非常に便利で実用的になった。
【００５５】
（その他の実施形態）
また、上記実施形態では、図３（ｃ）に示すように、患者符号１１をバーコード形式で記憶している周知のリストバンド４のバーコードを利用する方式の実施例を挙げた。しかしながら、患者に対する患者符号の付与の仕方としては、バーコードを用いた上記の方法に限られず、その他の任意の方法を採用できる。例えば、リストバンド４にＩＣチップを取付け、そのＩＣチップ内に患者符号１１を電子データとして記憶する方法を採用することもできる。
なお、この場合には、図２の入力ユニット３１内のリストバンドリーダ３２として、光学読取方式のバーコードリーダに代えて、接触式又は非接触式のデータ通信手法が採用される。
【００５６】
また、上記の実施形態では、課金の対象である機器としてテレビ受像機２９及び冷蔵庫２４の両方を考えたが、機器はそれらのうちのいずれか１つであっても良い。また、テレビ受像機及び冷蔵庫以外の任意の機器としても良い。また、上記の実施形態では、課金の終了を指示するための清算指示手段としてボタン型のスイッチを用いることを考えたが、他の任意の構造のスイッチを用いることができることはもちろんである。
上記実施形態では、図２において、本体側制御装置３４及び入力ユニット３１側の制御回路３５という２つの制御手段を個別に用いたが、これに代えて、本体側制御装置３４の１つによって全ての制御を行うことも可能である。この場合には、入力ユニット３１の中には光学機構としてのリストバンドリーダ３２が設けられるだけで、制御部やメモリは入力ユニット３１の中には不要となる。
以上、本実施形態では、病室に頭床台２を設置した場合について説明したが、それに限定するものではなく、例えば、ホテル、旅館等の宿泊施設に適用しても構わない。
【符号の説明】
【００５７】
１．機器課金システム、２．床頭台、３．ＩＣカード（プリペイドカード）、４．リストバンド、６．カード販売機、７．カード精算機、８．バンド部分、９．ＩＣタグ、１１．患者管理符号（バーコード）、１２．ＩＣチップ、１３．機器指示符号、１４．ＩＣチップ、１６．清算フラグ、１７．残度数領域、１８．機器符号領域、１９ａ  １９ｂ  １９ｃ．引き出し、２１．スライドテーブル、２２．固定テーブル、２３．天井板、２４．冷蔵庫（機器）、２６．金庫、２７．ロック装置、２８．回転盤、２９．テレビ受像機（機器）、３１．入力ユニット、３２．リストバンドリーダ、３３．清算ボタン（清算指示手段）、３４．制御装置、３７．メモリ、４０．制御部、４３．カード挿入口、４４．バス、４５．金銭投入口、４６．カード種選択ボタン、４７．金銭処理装置、４８．金銭支払口、４９．制御装置、５０．カード貯留部、５１．カード搬送装置、５２．カード排出口、５３．患者符号領域（メモリ）、５４．カード投入口、５５．カード読取装置、５６．計算装置、５７．制御装置、５８．金銭払出装置、５９．金銭払出口、６１．カード搬送装置、６２．カード収納装置、６４．リストバンド、６５．クリア用タグ、６６．クリア符号
【図１】
2011028728.tif 000003
【図２】
2011028728.tif 000004
【図３】
2011028728.tif 000005
【図４】
2011028728.tif 000006
【図５】
2011028728.tif 000007
【図６】
2011028728.tif 000008
【図７】
2011028728.tif 000009
【図８】
2011028728.tif 000010
【図９】
2011028728.tif 000011
【図１０】
2011028728.tif 000012
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
機器の使用に対する課金をプリペイドカードによって管理する機器課金システムにおいて、
前記プリペイドカードには、前記機器に対応した符号である機器符号を記憶する機器符号領域、前記機器の使用可能量を示す残度数を記憶する残度数領域、及びオン状態及びオフ状態を選択的にとり得る清算フラグが設けられており、
更に、前記機器符号を記憶した記憶手段と、
前記機器の利用者を管理するための符号である利用者管理符号及び使用可能な機器を示す機器指示符号を記憶しており該利用者が携帯する携帯記憶手段と、
前記携帯記憶手段に記憶された前記機器指示符号を読取るリーダと、
前記プリペイドカードの前記機器符号領域、前記残度数領域、及び前記清算フラグに記憶されたデータを読込むカードリーダと、
前記プリペイドカードの前記機器符号領域、前記残度数領域、及び前記清算フラグにデータを書込むカードライタと、
前記利用者によって操作されて前記プリペイドカードに記録された前記清算フラグをオン状態とする清算処理信号を出力する清算指示手段と、
前記記憶手段に記憶された前記機器符号、前記リーダの出力信号、前記カードリーダの出力信号に基づいて、前記機器及び前記カードライタの動作を制御する制御手段と、
を有し、
前記制御手段は、
前記カードリーダにより前記機器符号領域から読取ったデータと前記記憶手段に記憶された前記機器符号とが一致するときに、前記機器を使用可能とすると共に、前記機器に対する課金処理を行い、
さらに、前記リーダで読取った前記機器指示符号と前記記憶手段に記憶された前記機器符号とが一致し、前記清算指示手段から清算処理信号を受け取ったときに、前記カードライタによって前記プリペイドカードの前記清算フラグをオン状態とすることを特徴とする機器課金システム。
【請求項２】
機器の使用に対する課金をプリペイドカードによって管理する機器課金システムにおいて、
前記プリペイドカードには、前記機器の利用者を管理するための符号である利用者符号を記憶する利用者符号領域、前記機器の使用可能量を示す残度数を記憶する残度数領域、及びオン状態及びオフ状態を選択的にとり得る清算フラグが設けられており、
更に、前記プリペイドカードの前記利用者符号領域、前記残度数領域、及び前記清算フラグに記憶されたデータを読込むカードリーダと、
前記プリペイドカードの前記利用者符号領域、前記残度数領域、及び前記清算フラグにデータを書込むカードライタと、
前記利用者符号を記憶しており該利用者が携帯する携帯記憶手段と、
前記携帯記憶手段に記憶された前記利用者符号を読取るリーダと、
前記利用者符号を記憶した記憶手段と、
前記利用者によって操作されて前記プリペイドカードに記録された前記清算フラグをオン状態とする清算処理信号を出力する清算指示手段と、
前記記憶手段の利用者符号領域内の記憶内容、前記リーダの出力信号、前記カードリーダの出力信号に基づいて、前記機器及び前記カードライタの動作を制御する制御手段と、
を有し、
前記制御手段は、
前記リーダにより前記携帯記憶手段から読取った前記利用者符号を前記記憶手段の利用者符号領域内に記憶し、前記利用者符号を前記カードライタによって前記プリペイドカードの利用者符号領域内に記憶し、前記カードリーダで前記プリペイドカードの利用者符号領域から読取った利用者符号と前記記憶手段の利用者符号領域内に記憶された利用者符号とが一致するときに前記機器を使用可能とすると共に前記機器に対する課金処理を行い、
さらに、前記リーダで読取った前記利用者符号と前記記憶手段の利用者符号領域内に記憶された前記利用者符号とが一致し、さらに前記清算指示手段から清算処理信号を受け取ったときに、前記カードライタによって前記プリペイドカードの清算フラグをオン状態とすることを特徴とする機器課金システム。
【請求項３】
開閉可能な金庫と、該金庫の閉状態を保持できるロック装置と、をさらに有しており、
前記制御手段は、前記リーダで前記携帯記憶手段から読取った前記機器符号と前記記憶手段の機器符号領域内に記憶された機器符号とが一致するときに前記ロック装置を開状態にすることを特徴とする請求項１に記載の機器課金システム。
【請求項４】
開閉可能な金庫と、該金庫の閉状態を保持できるロック装置と、をさらに有しており、
前記制御手段は、前記リーダで前記携帯記憶手段から読取った前記利用者符号と前記記憶手段の利用者符号領域内に記憶された利用者符号とが一致するときに前記ロック装置を開状態にすることを特徴とする請求項２に記載の機器課金システム。
【請求項５】
前記記憶手段内に記憶されているデータを初期状態に戻すためのクリア符号を記録したクリア用タグを備え、
前記制御手段は、前記クリア符号を受け取ったときに前記利用者符号領域をデータが記憶されていないクリア状態にすることを特徴とする請求項２又は４に記載の機器課金システム。
【請求項６】
前記カードリーダの読取位置及び前記カードライタの書込位置は共通であることを特徴とする請求項１又は２に記載の機器課金システム。
【請求項７】
前記携帯記憶手段に記憶されている前記利用者管理符号、及び前記機器指示符号は、バーコード、及び／又は、ＲＦＩＤタグにより構成されていることを特徴とする請求項１乃至５の何れか一項に記載の機器課金システム。
【請求項８】
病室内にある機器の使用に対する課金をプリペイドカードによって管理する機器課金システムにおいて、
前記プリペイドカードには、前記機器に対応した符号である機器符号を記憶する機器符号領域と、前記機器の使用可能量を示す残度数を記憶する残度数領域と、オン状態及びオフ状態を選択的にとり得る清算フラグとが設けられており、さらに、
前記機器符号を記憶したメモリと、
患者を管理するための符号である患者管理符号及び使用可能な機器を示す機器指示符号を記憶しており患者の腕に装着されるリストバンドと、
前記リストバンドに記憶された前記機器指示符号を読取るリストバンドリーダと、
前記プリペイドカードの前記機器符号領域、前記残度数領域及び前記清算フラグに記憶されたデータを読込むプリペイドカードリーダと、
前記プリペイドカードの前記機器符号領域、前記残度数領域及び前記清算フラグにデータを書込むプリペイドカードライタと、を有し、
前記プリペイドカードリーダ及び前記プリペイドカードライタにおける前記プリペイドカードの読取位置は共通であり、さらに、
操作者によって操作されて清算処理信号を出力する清算指示手段と、
前記メモリに記憶された前記機器符号、前記リストバンドリーダの出力信号、前記プリペイドカードリーダの出力信号に基づいて、前記機器及び前記プリペイドカードライタの動作を制御する制御手段と、を有し、
前記制御手段は、
前記プリペイドカードリーダで前記機器符号領域から読取ったデータと、前記メモリに記憶された前記機器符号とが一致するときに、前記機器を使用可能とし、前記機器に対する課金処理を行い、さらに、
前記リストバンドリーダで読取った前記機器指示符号と前記メモリに記憶された前記機器符号とが一致し、前記清算指示手段から清算処理信号を受け取ったときに、前記プリペイドカードライタによって前記プリペイドカードの前記清算フラグをオン状態とすることを特徴とする機器課金システム。
【請求項９】
病室内にある機器の使用に対する課金をプリペイドカードによって管理する機器課金システムにおいて、
前記プリペイドカードには、患者を管理するための符号である患者符号を記憶する患者符号領域と、前記機器の使用可能量を示す残度数を記憶する残度数領域と、オン状態及びオフ状態を選択的にとり得る清算フラグとが設けられており、
さらに、前記プリペイドカードの前記患者符号領域、前記残度数領域及び前記清算フラグに記憶されたデータを読込むプリペイドカードリーダと、
前記プリペイドカードの前記患者符号領域、前記残度数領域及び前記清算フラグにデータを書込むプリペイドカードライタと、
前記患者符号を記憶しており患者の腕に装着されるリストバンドと、
前記リストバンドに記憶された前記患者符号を読取るリストバンドリーダと、
前記患者符号を記憶するための患者符号領域を備えた記憶媒体と、
操作者によって操作されて清算処理信号を出力する清算指示手段と、
前記記憶媒体の患者符号領域内の記憶内容、前記リストバンドリーダの出力信号、前記プリペイドカードリーダの出力信号に基づいて、前記機器及び前記プリペイドカードライタの動作を制御する制御手段と、を有し、
前記制御手段は、
前記リストバンドリーダで前記リストバンドから読取った前記患者符号を前記記憶媒体の患者符号領域内に記憶し、
前記患者符号を前記プリペイドカードライタによって前記プリペイドカードの患者符号領域内に記憶し、
前記プリペイドカードリーダで前記プリペイドカードの患者符号領域から読取った患者符号と前記記憶媒体の患者符号領域内に記憶された患者符号とが一致するときに前記機器を使用可能とすると共に前記機器に対する課金処理を行い、
さらに、前記リストバンドリーダで読取った前記患者符号と前記記憶媒体の患者符号領域内に記憶された前記患者符号とが一致し、さらに前記清算指示手段から清算処理信号を受け取ったときに、前記プリペイドカードライタによって前記プリペイドカードの清算フラグをオン状態とすることを特徴とする機器課金システム。
【請求項１０】
前記リストバンドは、
前記患者管理符号がバーコードとして印字されており腕に装着されるバンド部分と、
前記機器指示符号が記憶されており前記バンド部分に着脱可能に取り付けられたＩＣタグとを有し、
前記ＩＣタグは、前記機器指示符号を記憶したメモリと、該メモリに記憶されたデータを処理するプロセッサとを有することを特徴とする請求項８に記載の機器課金システム。
【請求項１１】
前記機器は、病室内に設けられた床頭台に設けられたテレビ受像機及び／又は冷蔵庫であることを特徴とする請求項８又は９に記載の機器課金システム。
【請求項１２】
予め金額がチャージされたプリペイドカードに対して対価を課金する機器課金システムであって、
個人の識別データが記録された個人識別証と、
前記個人識別証の前記個人識別データを読み取って内部に記録するとともに、前記プリペイドカードに当該個人識別データを記録するリーダ／ライタと、
前記プリペイドカードに対して課金する課金装置と、
を備える機器課金システムにおいて、
前記リーダ／ライタは、前記プリペイドカードから前記個人識別データを読み取り、内部に記録されている前記個人識別データと照合して、一致したときのみ、料金の課金を行う課金手段と、
前記リーダ／ライタは、前記プリペイドカードに記録された前記個人識別データを読み取り、前記個人識別証から読み取った前記個人識別データと照合して、一致したときのみ、前記プリペイドカードに記録された前記個人識別データを消去し、
前記個人識別データが消去された前記プリペイドカードに対して、払い戻しを行う精算手段と、
を備えることを特徴とする機器課金システム。
【手続補正２】
【補正対象書類名】明細書
【補正対象項目名】０００６
【補正方法】変更
【補正の内容】
【０００６】
本発明はかかる課題を解決するために、請求項１は、機器の使用に対する課金をプリペイドカードによって管理する機器課金システムにおいて、前記プリペイドカードには、前記機器に対応した符号である機器符号を記憶する機器符号領域、前記機器の使用可能量を示す残度数を記憶する残度数領域、及びオン状態及びオフ状態を選択的にとり得る清算フラグが設けられており、更に、前記機器符号を記憶した記憶手段と、前記機器の利用者を管理するための符号である利用者管理符号及び使用可能な機器を示す機器指示符号を記憶しており該利用者が携帯する携帯記憶手段と、前記携帯記憶手段に記憶された前記機器指示符号を読取るリーダと、前記プリペイドカードの前記機器符号領域、前記残度数領域、及び前記清算フラグに記憶されたデータを読込むカードリーダと、前記プリペイドカードの前記機器符号領域、前記残度数領域、及び前記清算フラグにデータを書込むカードライタと、前記利用者によって操作されて前記プリペイドカードに記録された前記清算フラグをオン状態とする清算処理信号を出力する清算指示手段と、前記記憶手段に記憶された前記機器符号、前記リーダの出力信号、前記カードリーダの出力信号に基づいて、前記機器及び前記カードライタの動作を制御する制御手段と、を有し、前記制御手段は、前記カードリーダにより前記機器符号領域から読取ったデータと前記記憶手段に記憶された前記機器符号とが一致するときに、前記機器を使用可能とすると共に、前記機器に対する課金処理を行い、さらに、前記リーダで読取った前記機器指示符号と前記記憶手段に記憶された前記機器符号とが一致し、前記清算指示手段から清算処理信号を受け取ったときに、前記カードライタによって前記プリペイドカードの前記清算フラグをオン状態とすることを特徴とする。
【手続補正３】
【補正対象書類名】明細書
【補正対象項目名】０００８
【補正方法】変更
【補正の内容】
【０００８】
請求項２は、機器の使用に対する課金をプリペイドカードによって管理する機器課金システムにおいて、前記プリペイドカードには、前記機器の利用者を管理するための符号である利用者符号を記憶する利用者符号領域、前記機器の使用可能量を示す残度数を記憶する残度数領域、及びオン状態及びオフ状態を選択的にとり得る清算フラグが設けられており、更に、前記プリペイドカードの前記利用者符号領域、前記残度数領域、及び前記清算フラグに記憶されたデータを読込むカードリーダと、前記プリペイドカードの前記利用者符号領域、前記残度数領域、及び前記清算フラグにデータを書込むカードライタと、前記利用者符号を記憶しており該利用者が携帯する携帯記憶手段と、前記携帯記憶手段に記憶された前記利用者符号を読取るリーダと、前記利用者符号を記憶した記憶手段と、前記利用者によって操作されて前記プリペイドカードに記録された前記清算フラグをオン状態とする清算処理信号を出力する清算指示手段と、前記記憶手段の利用者符号領域内の記憶内容、前記リーダの出力信号、前記カードリーダの出力信号に基づいて、前記機器及び前記カードライタの動作を制御する制御手段と、を有し、前記制御手段は、前記リーダにより前記携帯記憶手段から読取った前記利用者符号を前記記憶手段の利用者符号領域内に記憶し、前記利用者符号を前記カードライタによって前記プリペイドカードの利用者符号領域内に記憶し、前記カードリーダで前記プリペイドカードの利用者符号領域から読取った利用者符号と前記記憶手段の利用者符号領域内に記憶された利用者符号とが一致するときに前記機器を使用可能とすると共に前記機器に対する課金処理を行い、さらに、前記リーダで読取った前記利用者符号と前記記憶手段の利用者符号領域内に記憶された前記利用者符号とが一致し、さらに前記清算指示手段から清算処理信号を受け取ったときに、前記カードライタによって前記プリペイドカードの清算フラグをオン状態とすることを特徴とする。
本発明の機器課金システムによれば、プリペイドカードの利用者符号領域内に記憶された利用者符号と機器側の記憶媒体内に記憶された利用者符号とが一致することを条件として、機器の使用を許可することにしたので、プリペイドカードを他人に他の機器で使用されてしまうという盗用を防止できる。また、他人が他人のプリペイドカードによって利用者の機器を使用することを禁止できる。
【手続補正４】
【補正対象書類名】明細書
【補正対象項目名】００１３
【補正方法】変更
【補正の内容】
【００１３】
請求項１０は、前記リストバンドは、前記患者管理符号がバーコードとして印字されており腕に装着されるバンド部分と、前記機器指示符号が記憶されており前記バンド部分に着脱可能に取り付けられたＩＣタグとを有し、前記ＩＣタグは、前記機器指示符号を記憶したメモリと、該メモリに記憶されたデータを処理するプロセッサとを有することを特徴とする。
請求項１１は、前記機器は、病室内に設けられた床頭台に設けられたテレビ受像機及び／又は冷蔵庫であることを特徴とする。
請求項１２は、予め金額がチャージされたプリペイドカードに対して対価を課金する機器課金システムであって、個人の識別データが記録された個人識別証と、前記個人識別証の前記個人識別データを読み取って内部に記録するとともに、前記プリペイドカードに当該個人識別データを記録するリーダ／ライタと、前記プリペイドカードに対して課金する課金装置と、を備える機器課金システムにおいて、前記リーダ／ライタは、前記プリペイドカードから前記個人識別データを読み取り、内部に記録されている前記個人識別データと照合して、一致したときのみ、料金の課金を行う課金手段と、前記リーダ／ライタは、前記プリペイドカードに記録された前記個人識別データを読み取り、前記個人識別証から読み取った前記個人識別データと照合して、一致したときのみ、前記プリペイドカードに記録された前記個人識別データを消去し、前記個人識別データが消去された前記プリペイドカードに対して、払い戻しを行う精算手段と、を備えることを特徴とする。
【手続補正５】
【補正対象書類名】明細書
【補正対象項目名】００１７
【補正方法】変更
【補正の内容】
【００１７】
図１は、本発明に係る第１の実施形態の機器課金システムをブロック図によって示している。この機器課金システム１は、病院内の複数の病室内に設置される床頭台２と、プリペイドカードとしてのＩＣ（Integrated Circuit）カード３と、患者（利用者）が腕に装着するリストバンド（携帯記憶手段、個人識別証）４と、ＩＣカードの販売機６と、ＩＣカードの精算機（カード精算手段）７とを有している。複数の床頭台２のそれぞれには固有の識別符号である機器符号（個人識別データ）が割り当てられている。例えば、機器符号は文字及び／又は数字を含んだ一桁又は複数桁の符号によって構成されている。
なお、本明細書において、「清算」とはＩＣカード等の使用終了時に決まりをつけるための計算のことであり、「精算」とはＩＣカードに関して行われる種々の計算のことである。清算は精算の一種類である。
【手続補正６】
【補正対象書類名】明細書
【補正対象項目名】００２４
【補正方法】変更
【補正の内容】
【００２４】
図４において、スライドテーブル２１はスライド移動によって出し入れ自由なテーブルである。固定テーブル２２上には回転盤２８が置かれ、その回転盤２８の上に機器としてのテレビ受像機２９が設置されている。テレビ受像機２９は表示部が液晶表示装置によって構成された、いわゆる液晶テレビである。固定テーブル２２の前部には入力ユニット３１が置かれている。この入力ユニット３１には、リストバンドリーダ３２及び清算ボタン３３が設けられている。
リストバンドリーダ３２は、リストバンド４に記憶されている情報、特にＩＣタグ９のＩＣチップ１２のメモリ内に記憶された機器指示符号１３（図３（ａ）参照）を読取るためのデータ読取り機器である。ＩＣタグ９が非接触式の場合は、リストバンドリーダ３２は電力供給用の磁界を発生させるための磁界生成部や、データをやり取りする通信部等を備えている。一方、ＩＣタグ９が接触式であれば、リストバンドリーダ３２はＩＣチップの端子と導通をとるための接触端子を備えている。
図４のスライドテーブル２１の上方であって固定テーブル２２の下方の床頭台２の内部に、制御装置３４が設けられている。この制御装置３４は、図１及び図２に示すように、演算制御部であるＣＰＵ（Central Processing Unit：中央処理装置）３６と、メモリ３７と、タイマ装置（課金装置）３８と、ＩＣカードリーダ／ライタ（リーダ／ライタ）３９とを有している。各機器はバス４４によって電気的につながれている。
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
機器の使用に対する課金をプリペイドカードによって管理する機器課金システムにおいて、
前記プリペイドカードには、前記機器に対応した符号である機器符号を記憶する機器符号領域、前記機器の使用可能量を示す残度数を記憶する残度数領域、及びオン状態及びオフ状態を選択的にとり得る清算フラグが設けられており、
更に、前記機器符号を記憶した記憶手段と、
前記機器の利用者を管理するための符号である利用者管理符号及び使用可能な機器を示す機器指示符号を記憶しており該利用者が携帯する携帯記憶手段と、
前記携帯記憶手段に記憶された前記機器指示符号を読取るリーダと、
前記プリペイドカードの前記機器符号領域、前記残度数領域、及び前記清算フラグに記憶されたデータを読込むカードリーダと、
前記プリペイドカードの前記機器符号領域、前記残度数領域、及び前記清算フラグにデータを書込むカードライタと、
前記利用者によって操作されて前記プリペイドカードに記録された前記清算フラグをオン状態とする清算処理信号を出力する清算指示手段と、
前記記憶手段に記憶された前記機器符号、前記リーダの出力信号、前記カードリーダの出力信号に基づいて、前記機器及び前記カードライタの動作を制御する制御手段と、
を有し、
前記制御手段は、
前記カードリーダにより前記機器符号領域から読取ったデータと前記記憶手段に記憶された前記機器符号とが一致するときに、前記機器を使用可能とすると共に、前記機器に対する課金処理を行い、
さらに、前記リーダで読取った前記機器指示符号と前記記憶手段に記憶された前記機器符号とが一致し、前記清算指示手段から清算処理信号を受け取ったときに、前記カードライタによって前記プリペイドカードの前記清算フラグをオン状態とすることを特徴とする機器課金システム。
【請求項２】
機器の使用に対する課金をプリペイドカードによって管理する機器課金システムにおいて、
前記プリペイドカードには、前記機器の利用者を管理するための符号である利用者符号を記憶する利用者符号領域、前記機器の使用可能量を示す残度数を記憶する残度数領域、及びオン状態及びオフ状態を選択的にとり得る清算フラグが設けられており、
更に、前記プリペイドカードの前記利用者符号領域、前記残度数領域、及び前記清算フラグに記憶されたデータを読込むカードリーダと、
前記プリペイドカードの前記利用者符号領域、前記残度数領域、及び前記清算フラグにデータを書込むカードライタと、
前記利用者符号を記憶しており該利用者が携帯する携帯記憶手段と、
前記携帯記憶手段に記憶された前記利用者符号を読取るリーダと、
前記利用者符号を記憶した記憶手段と、
前記利用者によって操作されて前記プリペイドカードに記録された前記清算フラグをオン状態とする清算処理信号を出力する清算指示手段と、
前記記憶手段の利用者符号領域内の記憶内容、前記リーダの出力信号、前記カードリーダの出力信号に基づいて、前記機器及び前記カードライタの動作を制御する制御手段と、
を有し、
前記制御手段は、
前記リーダにより前記携帯記憶手段から読取った前記利用者符号を前記記憶手段の利用者符号領域内に記憶し、前記利用者符号を前記カードライタによって前記プリペイドカードの利用者符号領域内に記憶し、前記カードリーダで前記プリペイドカードの利用者符号領域から読取った利用者符号と前記記憶手段の利用者符号領域内に記憶された利用者符号とが一致するときに前記機器を使用可能とすると共に前記機器に対する課金処理を行い、
さらに、前記リーダで読取った前記利用者符号と前記記憶手段の利用者符号領域内に記憶された前記利用者符号とが一致し、さらに前記清算指示手段から清算処理信号を受け取ったときに、前記カードライタによって前記プリペイドカードの清算フラグをオン状態とすることを特徴とする機器課金システム。
【請求項３】
開閉可能な金庫と、該金庫の閉状態を保持できるロック装置と、をさらに有しており、
前記制御手段は、前記リーダで前記携帯記憶手段から読取った前記機器符号と前記記憶手段の機器符号領域内に記憶された機器符号とが一致するときに前記ロック装置を開状態にすることを特徴とする請求項１に記載の機器課金システム。
【請求項４】
開閉可能な金庫と、該金庫の閉状態を保持できるロック装置と、をさらに有しており、
前記制御手段は、前記リーダで前記携帯記憶手段から読取った前記利用者符号と前記記憶手段の利用者符号領域内に記憶された利用者符号とが一致するときに前記ロック装置を開状態にすることを特徴とする請求項２に記載の機器課金システム。
【請求項５】
前記記憶手段内に記憶されているデータを初期状態に戻すためのクリア符号を記録したクリア用タグを備え、
前記制御手段は、前記クリア符号を受け取ったときに前記利用者符号領域をデータが記憶されていないクリア状態にすることを特徴とする請求項２又は４に記載の機器課金システム。
【請求項６】
前記カードリーダの読取位置及び前記カードライタの書込位置は共通であることを特徴とする請求項１又は２に記載の機器課金システム。
【請求項７】
前記携帯記憶手段に記憶されている前記利用者管理符号、及び前記機器指示符号は、バーコード、及び／又は、ＲＦＩＤタグにより構成されていることを特徴とする請求項１乃至５の何れか一項に記載の機器課金システム。
【請求項８】
病室内にある機器の使用に対する課金をプリペイドカードによって管理する機器課金システムにおいて、
前記プリペイドカードには、前記機器に対応した符号である機器符号を記憶する機器符号領域と、前記機器の使用可能量を示す残度数を記憶する残度数領域と、オン状態及びオフ状態を選択的にとり得る清算フラグとが設けられており、さらに、
前記機器符号を記憶したメモリと、
患者を管理するための符号である患者管理符号及び使用可能な機器を示す機器指示符号を記憶しており患者の腕に装着されるリストバンドと、
前記リストバンドに記憶された前記機器指示符号を読取るリストバンドリーダと、
前記プリペイドカードの前記機器符号領域、前記残度数領域及び前記清算フラグに記憶されたデータを読込むプリペイドカードリーダと、
前記プリペイドカードの前記機器符号領域、前記残度数領域及び前記清算フラグにデータを書込むプリペイドカードライタと、を有し、
前記プリペイドカードリーダ及び前記プリペイドカードライタにおける前記プリペイドカードの読取位置は共通であり、さらに、
操作者によって操作されて清算処理信号を出力する清算指示手段と、
前記メモリに記憶された前記機器符号、前記リストバンドリーダの出力信号、前記プリペイドカードリーダの出力信号に基づいて、前記機器及び前記プリペイドカードライタの動作を制御する制御手段と、を有し、
前記制御手段は、
前記プリペイドカードリーダで前記機器符号領域から読取ったデータと、前記メモリに記憶された前記機器符号とが一致するときに、前記機器を使用可能とし、前記機器に対する課金処理を行い、さらに、
前記リストバンドリーダで読取った前記機器指示符号と前記メモリに記憶された前記機器符号とが一致し、前記清算指示手段から清算処理信号を受け取ったときに、前記プリペイドカードライタによって前記プリペイドカードの前記清算フラグをオン状態とすることを特徴とする機器課金システム。
【請求項９】
病室内にある機器の使用に対する課金をプリペイドカードによって管理する機器課金システムにおいて、
前記プリペイドカードには、患者を管理するための符号である患者符号を記憶する患者符号領域と、前記機器の使用可能量を示す残度数を記憶する残度数領域と、オン状態及びオフ状態を選択的にとり得る清算フラグとが設けられており、
さらに、前記プリペイドカードの前記患者符号領域、前記残度数領域及び前記清算フラグに記憶されたデータを読込むプリペイドカードリーダと、
前記プリペイドカードの前記患者符号領域、前記残度数領域及び前記清算フラグにデータを書込むプリペイドカードライタと、
前記患者符号を記憶しており患者の腕に装着されるリストバンドと、
前記リストバンドに記憶された前記患者符号を読取るリストバンドリーダと、
前記患者符号を記憶するための患者符号領域を備えた記憶媒体と、
操作者によって操作されて清算処理信号を出力する清算指示手段と、
前記記憶媒体の患者符号領域内の記憶内容、前記リストバンドリーダの出力信号、前記プリペイドカードリーダの出力信号に基づいて、前記機器及び前記プリペイドカードライタの動作を制御する制御手段と、を有し、
前記制御手段は、
前記リストバンドリーダで前記リストバンドから読取った前記患者符号を前記記憶媒体の患者符号領域内に記憶し、
前記患者符号を前記プリペイドカードライタによって前記プリペイドカードの患者符号領域内に記憶し、
前記プリペイドカードリーダで前記プリペイドカードの患者符号領域から読取った患者符号と前記記憶媒体の患者符号領域内に記憶された患者符号とが一致するときに前記機器を使用可能とすると共に前記機器に対する課金処理を行い、
さらに、前記リストバンドリーダで読取った前記患者符号と前記記憶媒体の患者符号領域内に記憶された前記患者符号とが一致し、さらに前記清算指示手段から清算処理信号を受け取ったときに、前記プリペイドカードライタによって前記プリペイドカードの清算フラグをオン状態とすることを特徴とする機器課金システム。
【請求項１０】
前記リストバンドは、
前記患者管理符号がバーコードとして印字されており腕に装着されるバンド部分と、
前記機器指示符号が記憶されており前記バンド部分に着脱可能に取り付けられたＩＣタグとを有し、
前記ＩＣタグは、前記機器指示符号を記憶したメモリと、該メモリに記憶されたデータを処理するプロセッサとを有することを特徴とする請求項８に記載の機器課金システム。
【請求項１１】
前記機器は、病室内に設けられた床頭台に設けられたテレビ受像機及び／又は冷蔵庫であることを特徴とする請求項８又は９に記載の機器課金システム。
【請求項１２】
予め金額がチャージされたプリペイドカードに対して対価を課金する機器課金システムであって、
個人の識別データが記録された個人識別証と、
前記個人識別証の前記個人識別データを読み取って内部に記録するとともに、前記プリペイドカードに当該個人識別データを記録するリーダ／ライタと、
前記プリペイドカードに対して課金する課金装置と、
を備える機器課金システムにおいて、
前記リーダ／ライタは、前記プリペイドカードから前記個人識別データを読み取り、内部に記録されている前記個人識別データと照合して、一致したときのみ、料金の課金を行う課金手段と、
前記リーダ／ライタは、前記プリペイドカードに記録された前記個人識別データを読み取り、前記個人識別証から読み取った前記個人識別データと照合して、一致したとき、前記プリペイドカードに記録された前記個人識別データを消去し、
前記個人識別データが消去された前記プリペイドカードに対して、払い戻しを行う精算手段と、
を備えることを特徴とする機器課金システム。
【請求項１３】
利用者によって操作されて前記プリペイドカードに記録された清算フラグをオン状態とする清算処理信号を出力する清算指示手段を備え、
該清算指示手段により前記清算処理信号が出力されたとき、前記リーダ／ライタは、前記プリペイドカードに記録された前記個人識別データを読み取り、前記個人識別証から読み取った前記個人識別データと照合して、一致したとき、前記プリペイドカードに記録された前記個人識別データを消去し、
前記個人識別データが消去された前記プリペイドカードに対して、払い戻しを行う精算手段と、
を備えることを特徴とする請求項１２に記載の機器課金システム。
【請求項１４】
前記清算指示手段により前記清算処理信号が出力されたとき、前記リーダ／ライタは、前記プリペイドカードに記録された前記個人識別データを読み取り、前記個人識別証から読み取った前記個人識別データと照合して、一致したとき、前記清算フラグをオン状態とすると共に、前記プリペイドカードに記録された前記個人識別データを消去し、
前記個人識別データが消去された前記プリペイドカードに対して、払い戻しを行う精算手段と、
を備えることを特徴とする請求項１２又は１３に記載の機器課金システム。
【手続補正２】
【補正対象書類名】明細書
【補正対象項目名】００１３
【補正方法】変更
【補正の内容】
【００１３】
請求項１０は、前記リストバンドは、前記患者管理符号がバーコードとして印字されており腕に装着されるバンド部分と、前記機器指示符号が記憶されており前記バンド部分に着脱可能に取り付けられたＩＣタグとを有し、前記ＩＣタグは、前記機器指示符号を記憶したメモリと、該メモリに記憶されたデータを処理するプロセッサとを有することを特徴とする。
請求項１１は、前記機器は、病室内に設けられた床頭台に設けられたテレビ受像機及び／又は冷蔵庫であることを特徴とする。
請求項１２は、予め金額がチャージされたプリペイドカードに対して対価を課金する機器課金システムであって、個人の識別データが記録された個人識別証と、前記個人識別証の前記個人識別データを読み取って内部に記録するとともに、前記プリペイドカードに当該個人識別データを記録するリーダ／ライタと、前記プリペイドカードに対して課金する課金装置と、を備える機器課金システムにおいて、前記リーダ／ライタは、前記プリペイドカードから前記個人識別データを読み取り、内部に記録されている前記個人識別データと照合して、一致したときのみ、料金の課金を行う課金手段と、前記リーダ／ライタは、前記プリペイドカードに記録された前記個人識別データを読み取り、前記個人識別証から読み取った前記個人識別データと照合して、一致したとき、前記プリペイドカードに記録された前記個人識別データを消去し、前記個人識別データが消去された前記プリペイドカードに対して、払い戻しを行う精算手段と、を備えることを特徴とする。
請求項１３は、利用者によって操作されて前記プリペイドカードに記録された清算フラグをオン状態とする清算処理信号を出力する清算指示手段を備え、清算指示手段により前記清算処理信号が出力されたとき、前記リーダ／ライタは、前記プリペイドカードに記録された前記個人識別データを読み取り、前記個人識別証から読み取った前記個人識別データと照合して、一致したとき、前記プリペイドカードに記録された前記個人識別データを消去し、前記個人識別データが消去された前記プリペイドカードに対して、払い戻しを行う精算手段と、を備えることを特徴とする。
請求項１４は、前記清算指示手段により前記清算処理信号が出力されたとき、前記リーダ／ライタは、前記プリペイドカードに記録された前記個人識別データを読み取り、前記個人識別証から読み取った前記個人識別データと照合して、一致したとき、前記清算フラグをオン状態とすると共に、前記プリペイドカードに記録された前記個人識別データを消去し、前記個人識別データが消去された前記プリペイドカードに対して、払い戻しを行う精算手段と、を備えることを特徴とする。